(57)【要約】      （修正有）【課題】放送番組内で告知される情報を電子番組表から容易に把握できる。【解決手段】電子番組情報を提供する特定のサーバ、もしくは電子番組情報を提供する特定の放送局から電子番組情報を取得する電子番組情報取得部（チューナー３３、制御部３２）と、電子番組情報取得部で取得した電子番組情報に含まれる情報、もしくは当該電子番組情報と共に送信されてきたデータストリームから放送番組内で告知される情報を取得する告知情報取得部（ＤＥＭＵＸ部３４、制御部３２）と、番組の記録を予約する際に、告知情報取得部で取得した情報に基づいて記録を予約する番組が告知される情報を有するか否かを表示する記録予約受付部（制御部３２、記録部３７）と、を備える情報受信装置とする。【選択図】図３
2010206333.tif 000002
【特許請求の範囲】
【請求項１】
電子番組情報を提供する特定のサーバ、もしくは電子番組情報を提供する特定の放送局から上記電子番組情報を取得する電子番組情報取得部と、
上記電子番組情報取得部で取得した上記電子番組情報に含まれる情報、もしくは当該電子番組情報と共に送信されてきたデータから放送番組内で告知される情報を取得する告知情報取得部と、
番組の記録を予約する際に、上記告知情報取得部で取得した情報に基づいて記録を予約する上記番組が上記告知される情報を有するか否かを表示させる記録予約受付部と、
を備える、
ことを特徴とする情報受信装置。
【請求項２】
請求項１記載の情報受信装置において、
前記告知される情報は、懸賞情報であり、
前記記録予約受付部は、前記記録を予約する候補となる前記電子番組情報の中から応募期限が番組放送中である番組を通知する、
ことを特徴とする情報受信装置。
【請求項３】
請求項１または２記載の情報受信装置において、
前記記録を予約するのに先立って、前記記録を予約する候補となる所定の条件を満たす前記電子番組情報を検索する検索部を備える、
ことを特徴とする情報受信装置。
【請求項４】
請求項３記載の情報受信装置において、
前記検索部は、前記所定の条件を、過去の視聴履歴および／または過去の検索履歴に基づいて生成する、
ことを特徴とする情報受信装置。
【請求項５】
請求項１から請求項４のいずれか１項記載の情報受信装置であって、
前記電子番組情報の取得を要求できる電子番組情報取得要求部を備え、
前記電子番組情報取得部は、上記電子番組情報取得要求部の要求により、前記電子番組情報を提供する特定の前記サーバ、もしくは特定の前記放送局から前記電子番組情報を取得することを特徴とする情報受信装置。
【請求項６】
請求項１から請求項５のいずれか１項記載の情報受信装置であって、
前記電子番組情報に含まれる番組の告知情報の取得を要求できる告知情報取得要求部を備え、
前記告知情報取得部は、上記告知情報取得要求部の要求により、前記電子番組情報に含まれる番組の告知情報を提供する特定の前記サーバ、もしくは特定の前記放送局から前記電子番組情報に含まれる番組の告知情報を取得することを特徴とする情報受信装置。
【請求項７】
電子番組情報を提供する特定のサーバ、もしくは電子番組情報を提供する特定の放送局から上記電子番組情報を取得する電子番組情報取得ステップと、
上記電子番組情報取得ステップで取得した上記電子番組情報に含まれる情報、もしくは当該電子番組情報と共に送信されてきたデータから放送番組内で告知される情報を取得する告知情報取得ステップと、
番組の記録を予約する際に、上記告知情報取得ステップの処理により取得した情報に基づいて記録を予約する上記番組が上記告知される情報を有するか否かを表示させる記録予約受付ステップと、
を有する、
ことを特徴とする情報受信方法。
【請求項８】
コンピュータを、
電子番組情報を提供する特定のサーバ、もしくは電子番組情報を提供する特定の放送局から上記電子番組情報を取得する電子番組情報取得手段、
上記電子番組情報取得手段で取得した上記電子番組情報に含まれる情報、もしくは当該電子番組情報と共に送信されてきたデータから放送番組内で告知される情報を取得する告知情報取得手段、
番組の記録を予約する際に、上記告知情報取得手段で取得した情報に基づいて記録を予約する上記番組が上記告知される情報を有するか否かを表示させる記録予約受付手段、
として機能させるための情報受信プログラム。
【請求項９】
請求項１から６のいずれか１項記載の情報受信装置に対して、前記電子番組情報および／または前記電子番組情報に含まれる番組内で告知される情報として懸賞情報を提供することを特徴とする放送関連情報配信装置。
【請求項１０】
電子番組情報および／または上記電子番組情報に含まれる番組内で告知される情報を提供する放送関連情報配信装置と、
上記放送関連情報配信装置から受信した情報に基づいて、上記電子番組情報を取得する電子番組情報取得部、
上記電子番組情報取得部で取得した上記電子番組情報に含まれる情報、もしくは当該電子番組情報と共に送信されてきたデータから放送番組内で告知される情報を取得する告知情報取得部、
番組の記録を予約する際に、上記告知情報取得部で取得した情報に基づいて記録を予約する上記番組が上記告知される情報を有するか否かを表示させる記録予約受付部、
を少なくとも備える情報受信装置と、
を備えたことを特徴とする情報配信システム。
【発明の詳細な説明】
【技術分野】
【０００１】
本発明は、情報受信装置、情報受信方法、情報受信プログラムおよび放送関連情報配信装置に関する。
【背景技術】
【０００２】
近年、地上デジタル放送、ＢＳ（Ｂｒｏａｄｃａｓｔｉｎｇ  ｓａｔｅｌｌｉｔｅ）などのデジタル放送において、放送する番組内容を示す電子番組表（ＥＰＧ：Ｅｌｅｃｔｒｏｎｉｃ  Ｐｒｏｇｒａｍ  Ｇｕｉｄｅ、以下、単に「ＥＰＧ」という）が知られている。このＥＰＧ情報を活用することで、視聴者側の利便性を高めるべく、様々な提案がなされている。たとえば、このＥＰＧ情報を用いて、提供される番組連動型の放送データのみ予約印刷する、または番組の動画データとは独立して別々に予約印刷することが提案されている（特許文献１参照）。
【０００３】
また、このＥＰＧ情報を用いて、車載型のデジタル放送受信機で番組を視聴する際に、視聴者毎にグループ分けされた固有の電子番組表を表示させると共に、受信感度に応じた情報を当該固有の電子番組表に反映させることが提案されている（特許文献２参照）。
【０００４】
また、ＡＤＭＳ（ＴＶ−Ａｓａｈｉ  Ｄａｔａ  Ａｎｄ  Ｍｕｌｔｉｍｅｄｉａ  Ｓｅｒｖｉｃｅ）−ＥＰＧやｉＥＰＧなど、ＥＰＧ情報をインターネット経由で提供するものも知られており、インターネット経由で受信したＥＰＧ情報と放送波から受信したＥＰＧ情報とを受信した場合の制御についての提案もなされている（特許文献３参照）。
【先行技術文献】
【特許文献】
【０００５】
【特許文献１】特開２００７−２３５６３９号公報（要約、段落[００１３]等）
【特許文献２】特開２００７−８９２２０号公報（要約、段落[０００７]等）
【特許文献３】特開２００８−２５２４４７号公報（要約等）
【発明の概要】
【発明が解決しようとする課題】
【０００６】
しかしながら、特許文献１〜３に開示される技術では、視聴者は、たとえば放送が予定されている番組内で懸賞やプレゼントの告知がある場合に、その事実をＥＰＧ情報から知ることができない。また、視聴者は、番組内で懸賞の告知がある場合に、その懸賞の応募期間がたとえば番組放送中だけのリアルタイム性の高いものであるとか、応募締め切りがいつまでといった情報を知ることができない。また、番組を録画予約する際にも、録画予約をしようとする人は、当該予約をしようとしている番組についての懸賞の有無、更には懸賞がある場合の応募期間などの情報を知ることができない。したがって、録画した番組を後で視聴する際に、懸賞に応募したくても、懸賞の応募期間が経過しており、懸賞に応募できない場合もある。
【０００７】
そこで、本発明は、上述した課題に鑑み、放送番組内で告知される情報を電子番組表から容易に把握できる情報受信装置、情報受信方法、情報受信プログラムおよび放送関連情報配信装置を提供することを目的とする。
【課題を解決するための手段】
【０００８】
本発明の第一の観点は、情報受信装置としての観点である。すなわち、本発明の情報受信装置は、電子番組情報を提供する特定のサーバ、もしくは電子番組情報を提供する特定の放送局から電子番組情報を取得する電子番組情報取得部と、電子番組情報取得部で取得した電子番組情報に含まれる情報、もしくは当該電子番組情報と共に送信されてきたデータから放送番組内で告知される情報を取得する告知情報取得部と、番組の記録を予約する際に、告知情報取得部で取得した情報に基づいて記録を予約する番組が告知される情報を有するか否かを表示する記録予約受付部と、を備えるものである。
【０００９】
たとえば、告知される情報は、懸賞情報であり、記録予約受付部は、記録を予約する候補となる電子番組情報の中から応募期限が番組放送中である番組を通知することができる。
【００１０】
さらに、記録を予約するのに先立って、記録を予約する候補となる所定の条件を満たす電子番組情報を検索する検索部を備えることができる。
【００１１】
また、検索部は、所定の条件を、過去の視聴履歴および／または過去の検索履歴に基づき生成して適用することができる。
【００１２】
また、電子番組情報の取得を要求できる電子番組情報取得要求部を備え、電子番組情報取得部は、電子番組情報取得要求部の要求により、電子番組情報を提供する特定のサーバ、もしくは特定の放送局から電子番組情報を取得することができる。
【００１３】
また、電子番組情報に含まれる番組の告知情報の取得を要求できる告知情報取得要求部を備え、告知情報取得部は、告知情報取得要求部の要求により、電子番組情報に含まれる番組の告知情報を提供する特定のサーバ、もしくは特定の放送局から電子番組情報に含まれる番組の告知情報を取得することができる。
【００１４】
本発明の第二の観点は、情報受信方法としての観点である。すなわち、本発明の情報受信方法は、電子番組情報を提供する特定のサーバ、もしくは電子番組情報を提供する特定の放送局から電子番組情報を取得する電子番組情報取得ステップと、電子番組情報取得ステップで取得した電子番組情報に含まれる情報、もしくは当該電子番組情報と共に送信されてきたデータから放送番組内で告知される情報を取得する告知情報取得ステップと、番組の記録を予約する際に、告知情報取得ステップの処理により取得した情報に基づいて記録を予約する番組が告知される情報を有するか否かを表示する記録予約受付ステップと、を有するものである。
【００１５】
本発明の第三の観点は、情報受信プログラムとしての観点である。すなわち、本発明の情報受信プログラムは、コンピュータを、電子番組情報を提供する特定のサーバ、もしくは電子番組情報を提供する特定の放送局から電子番組情報を取得する電子番組情報取得手段、電子番組情報取得手段で取得した電子番組情報に含まれる情報、もしくは当該電子番組情報と共に送信されてきたデータから放送番組内で告知される情報を取得する告知情報取得手段、番組の記録を予約する際に、告知情報取得手段で取得した情報に基づいて記録を予約する番組が告知される情報を有するか否かを表示する記録予約受付手段、として機能させるためのものである。
【００１６】
本発明の第四の観点は、放送関連情報配信装置としての観点である。すなわち、本発明の放送関連情報配信装置は、本発明の情報受信装置に対して、電子番組情報および／または電子番組情報に含まれる番組内で告知される情報として懸賞情報を提供するものである。
【００１７】
本発明の第五の観点は、情報配信システムとしての観点である。すなわち、本発明の情報配信システムは、電子番組情報および／または電子番組情報に含まれる番組内で告知される情報を提供する放送関連情報配信装置と、放送関連情報配信装置から受信した情報に基づいて、電子番組情報を取得する電子番組情報取得部、電子番組情報取得部で取得した電子番組情報に含まれる情報、もしくは当該電子番組情報と共に送信されてきたデータから放送番組内で告知される情報を取得する告知情報取得部、番組の記録を予約する際に、告知情報取得部で取得した情報に基づいて記録を予約する番組が告知される情報を有するか否かを表示する記録予約受付部、を少なくとも備えた情報受信装置と、を備えるものである。
【発明の効果】
【００１８】
本発明によれば、放送番組内で告知される情報を電子番組表から容易に把握できる情報配信システム、情報配信装置、情報受信装置、放送関連情報配信装置、ならびに情報受信方法を提供することができる。
【図面の簡単な説明】
【００１９】
【図１】本発明の第１実施形態に係る情報配信システムの全体構成を示すシステム構成図である。
【図２】図１に示す放送局の有する放送送信装置の構成を示すブロック図である。
【図３】図１に示す放送受信装置の全体構成を示すブロック図である。
【図４】懸賞情報のデータ列の一例を示す図である。
【図５】図１に示す放送送信装置で行う放送配信処理のフローチャートである。
【図６】図１に示す放送受信装置で行う画面表示処理のフローチャートである。
【図７】図１に示す放送受信装置で行う懸賞情報表示処理のフローチャートである。
【図８】図１に示す放送受信装置で行う懸賞情報表示処理のフローチャートである。
【図９】図１に示す放送受信装置で行うユーザ設定処理のフローチャートである。
【図１０】図９に示すユーザ設定処理を反映させた画面表示処理のフローチャートである。
【図１１】図１に示す放送受信装置で行う応募情報表示処理のフローチャートである。
【図１２】図１に示す放送受信装置で行うＥＰＧ画面表示処理その１のフローチャートである。
【図１３】図１に示す放送受信装置で行うＥＰＢ画面表示処理その２のフローチャートである。
【図１４】図１に示す放送受信装置で行う番組検索処理のフローチャートである。
【図１５】図１に示す放送受信装置で行うおススメ番組自動記録処理のフローチャートである。
【図１６】図１に示す放送受信装置で行う懸賞番組表示処理その１のフローチャートである。
【図１７】図１に示す放送受信装置で行う懸賞番組表示処理その２のフローチャートである。
【図１８】図３に示す表示装置で表示される画面表示例その１を示す図である。
【図１９】図３に示す表示装置で表示される画面表示例その２を示す図であると共に、図３４に示す表示装置に表示される画面表示例その３を示す図である。
【図２０】図３に示す表示装置で表示される画面表示例その３を示す図であると共に、図３４に示す表示装置に表示される画面表示例その４を示す図である。
【図２１】図３に示す表示装置で表示される画面表示例その４を示す図である。
【図２２】図３に示す表示装置で表示される画面表示例その５を示す図である。
【図２３】図３に示す表示装置で表示される画面表示例その６を示す図である。
【図２４】図３に示す表示装置で表示される画面表示例その７を示す図である。
【図２５】図３に示す表示装置で表示される画面表示例その７を示す図である。
【図２６】図３に示す表示装置で表示される画面表示例その７を示す図である。
【図２７】図３に示す表示装置で表示される画面表示例その７を示す図である。
【図２８】図３に示す表示装置で表示される画面表示例その８を示す図である。
【図２９】図３に示す表示装置で表示される画面表示例その８を示す図である。
【図３０】図３に示す表示装置で表示される画面表示例その９を示す図である。
【図３１】図２に示す放送送信装置の変形例を示す図である。
【図３２】図３１に示す放送送信装置の放送配信処理のフローチャートである。
【図３３】本発明の第２実施形態に係る情報配信システムの全体構成を示すブロック図である。
【図３４】図３３に示す放送受信装置の全体構成を示すブロック図である。
【図３５】図３３に示す放送局サーバの全体構成を示すブロック図である。
【図３６】図３３に示す放送局サーバから送信される懸賞情報のデータ列の一例を示す図である。
【図３７】図３３に示す放送局サーバから送信されるＥＰＧ情報に懸賞情報が付加された例その１を示す図である。
【図３８】図３３に示す放送局サーバから送信されるＥＰＧ情報に懸賞情報が付加された例その２を示す図である。
【図３９】図３３に示す放送局サーバで行うＥＰＧ情報送信処理のフローチャートである。
【図４０】図３３に示す放送受信装置で行う懸賞情報表示処理のフローチャートである。
【図４１】図３３に示す放送受信装置で行う懸賞情報表示処理のフローチャートである。
【図４２】図３９に示すＥＰＧ情報送信処理の変形例を示す図である。
【図４３】図４０に示す懸賞情報表示処理の変形例を示す図である。
【発明を実施するための形態】
【００２０】
以下、本発明の実施形態について図面を参照しながら説明する。なお、以下の順に沿って説明していく。
１．情報配信システム（実施例１）の全体構成
１−１．各部の説明
１−１−１．放送送信装置の構成
１−１−２．放送受信装置の構成
１−２．各装置の処理
１−２−１．放送送信装置の懸賞情報配信処理
１−２−２−１．放送受信装置の懸賞情報表示処理その１
１−２−２−２．放送受信装置の懸賞情報表示処理その２
１−２−２−３．放送受信装置の懸賞情報表示処理その３
１−２−２−４．放送受信装置の応募情報表示処理
１−２−２−５．放送受信装置のＥＰＧ画面表示処理その１
１−２−２−６．放送受信装置のＥＰＧ画面表示処理その２
１−２−２−７．放送受信装置の番組検索表示処理
１−２−２−８．放送受信装置のおススメ番組自動記録処理
１−２−２−９．放送受信装置の懸賞番組表示処理
１−２−２−１０．放送受信装置のリアルタイム懸賞番組表示処理
１−３．懸賞情報表示例
１−３−１．表示例その１
１−３−２．表示例その２
１−３−３．表示例その３
１−３−４．表示例その４
１−３−５．表示例その５
１−３−６．表示例その６
１−３−７．表示例その７
１−３−８．表示例その８
１−３−９．表示例その９
１−４．実施例１の変形例
１−４−１．放送送信装置の構成
１−４−２．放送送信装置の処理
２．情報配信システム（実施例２）の全体構成
２−１．各部の説明
２−１−１．放送受信装置の構成
２−１−２．放送局サーバの構成
２−２．各装置の処理
２−２−１．放送局サーバの懸賞情報配信処理
２−２−２−１．放送受信装置の懸賞情報表示処理その１
２−２−２−２．放送受信装置の懸賞情報表示処理その２
２−４．実施例２の変形例
２−４−１．放送局サーバの構成
２−４−２．放送局サーバの配信処理
２−４−３．放送受信装置の懸賞情報表示処理
３．他の実施形態
【実施例１】
【００２１】
１．情報配信システム１（実施例１：ＥＰＧに懸賞情報含む）の全体構成
まず、本発明の第１実施形態に係る情報配信システム１について説明する。図１は、本発明の第１実施形態に係る情報配信システム１の全体構成を示すシステム構成図である。図１に示すように、情報配信システム１は、放送局１０と、放送受信装置３０とを有している。なお、図１には、１つの放送局１０および２つの放送受信装置３０を図示したが、情報配信システム１には、複数の放送局１０および３以上の放送受信装置３０を有してもよい。
【００２２】
放送局１０は、放送スケジュールに沿って放送番組用のコンテンツをストリームデータとして送出する。また、放送局１０は、放送波にデータ放送、ＥＰＧ（Ｅｌｅｃｔｒｏｎｉｃ  Ｐｒｏｇｒａｍ  Ｇｕｉｄｅ）情報を重畳して送出することができる放送送信装置１１（図２参照）を有している。また、放送受信装置３０は、放送局１０の放送送信装置１１からの放送波を受信し、受信した放送番組の映像、音声出力やＥＰＧ情報の出力を行う。
【００２３】
１−１．各部の説明
１−１−１．放送送信装置の構成
図２は、図１に示す放送局１０が有する放送送信装置１１の構成を示すブロック図である。図２に示すように、放送送信装置１１は、制御部１２、コンテンツストリーム作成部１３、ＥＰＧ情報作成部１４、データ放送作成部１５、ＭＵＸ（ＭＵｌｔｉｐｌｅＸｅｒ）部１６、放送用コンテンツデータベース（以下データベースをＤＢと記す）１７、放送スケジュールＤＢ１８、データ放送用コンテンツＤＢ１９を主要な構成要素としている。なお、放送送信装置１１は、請求項の放送配信装置に対応している。
【００２４】
ここで、上述したコンテンツストリーム作成部１３、ＥＰＧ情報作成部１４、データ放送作成部１５、ＭＵＸ部１６の各機能が実現する情報処理は、放送送信装置１１全体を制御する制御部１２がハードウェア資源と協働して実行することにより実現される。具体的には、制御部１２は、不図示のハードウェア資源であるＣＰＵ(Central Processing Unit)などから構成され、ＣＰＵが不図示のＲＯＭ(Read Only Memory)に格納されている各種プログラムを不図示のＲＡＭ(Random
Access Memory)に読み出して協働して実行することにより実現している。また、上述した放送用コンテンツＤＢ１７、放送スケジュールＤＢ１８、データ放送用コンテンツＤＢ１９は不図示の記憶部に記憶されており、記憶部は、たとえばＨＤＤ（Ｈａｒｄ  Ｄｉｓｃ  Ｄｒｉｖｅ）やフラッシュメモリなどから構成される。
【００２５】
コンテンツストリーム作成部１３は、放送用コンテンツＤＢ１７を参照して放送用コンテンツを作成する。なお、本実施例において、放送用コンテンツは、ＭＰＥＧ２−ＴＳ（Ｍｏｔｉｏｎ  Ｐｈｏｔｏｇｒａｐｈｉｃ  Ｃｏｄｅｉｎｇ  Ｅｘｐｅｒｔｓ  Ｇｒｏｕｐｅ−２  Ｔｒａｎｓｐｏｒｔ  Ｓｔｒｅａｍ）規格に準拠して符号化及び多重化されているものとして説明する。ＭＰＥＧ２−ＴＳ規格では、伝送されるコンテンツの映像及び音声等は、符号化されたＥＳ（Ｅｌｅｍｅｎｔａｒｙ  Ｓｔｒｅａｍ）として生成され、ＥＳを意味のある単位毎にパケット化されたＰＥＳ（Ｐａｃｋｅｔｉｚｅｄ  Ｅｌｅｍｅｎｔａｒｙ  Ｓｔｒｅａｍ）が生成される。更に、ＰＥＳを分割したＴＳ（Ｔｒａｎｓｐｏｒｔ  Ｓｔｒｅａｍ）パケットが、放送局１０から伝送される。
【００２６】
また、各ＴＳパケットのヘッダにＰＩＤと呼ばれる１３ビットのパケット識別子を付与することにより、各ＴＳパケットが、放送用コンテンツの映像データ、音声データ、制御データ等のいずれであるのか分類することができる。
【００２７】
また、ここでいう制御データとは、ＳＩ／ＰＳＩ（Ｓｅｒｖｉｃｅ  Ｉｎｆｏｒｍａｔｉｏｎ／Ｐｒｏｇｒａｍ  Ｓｐｅｃｉｆｉｃ  Ｉｎｆｏｒｍａｔｉｏｎ）と呼ばれるデータを指している。ＳＩ／ＰＳＩのＳＩは、ＥＰＧ情報を作成するために必要な情報等を含み、ＰＳＩは、基本的な制御をするための情報を含む制御データのことである。なお、ＴＳパケットには、放送局１０の意図に反する視聴を防止するための暗号化処理（以下、「スクランブル処理」という）が施されていてもよい。ここで、スクランブル処理の方式としてたとえば、Ｍｕｌｔｉ２を使用することができる。このＭｕｌｔｉ２は、デジタルデータを暗号化する方式の一つであり、ＢＳデジタル放送や地上デジタル放送などでも広く採用されている。なお、放送用コンテンツＤＢ１７には、上述した放送用コンテンツ１７ａが記憶されている。
【００２８】
ＥＰＧ情報作成部１４は、放送スケジュールＤＢ１８を参照してＥＰＧ情報を作成する機能を有する。放送スケジュールＤＢ１８には、放送局１０が放送する番組の放送スケジュール情報が記憶されている。なお、放送スケジュールＤＢ１８に、他の放送局１０が放送する番組の放送スケジュール情報が記憶されていてもよい。
【００２９】
データ放送作成部１５は、データ放送用コンテンツＤＢ１９から例えば天気予報や番組に関連した情報等のデータ放送を作成する。なお、データ放送も、上述した放送用コンテンツ１７ａと同様にＭＰＥＧ２−ＴＳ規格に準拠して符号化及び多重化されているものとして説明する。なお、データ放送用コンテンツＤＢ１９には、天気予報や番組に関連した情報等のデータ放送以外にも、その番組に関係する放送局１０が提供するＵＲＬ（Ｕｎｉｆｏｒｍ  Ｒｅｓｏｕｒｃｅ  Ｌｏｃａｔｏｒ）情報やＰ２Ｐ（Ｐｅｅｒ  ｔｏ  Ｐｅｅｒ）方式で利用できる検索クエリ情報が記憶されていてもよい。なお、データ放送作成部１５は、これらの情報をあわせてＭＵＸ部１６に供給する。
【００３０】
ＭＵＸ部１６は、コンテンツストリーム作成部１３が放送用コンテンツＤＢ１７を参照して作成したコンテンツデータと、ＥＰＧ情報作成部１４が放送スケジュールＤＢ１８を参照して作成したＥＰＧ情報と、放送作成部２３がデータ放送用コンテンツＤＢ１９を参照して作成したデータ放送番組データとを多重化した放送データを生成する。そして、当該放送データは、放送局１０のアンテナから放送波として送出される。
【００３１】
１−１−２．放送受信装置の構成
【００３２】
続いて、放送受信装置３０について説明する。図３は、図１に示す放送受信装置３０のブロック構成を示す図である。放送受信装置３０は、たとえばＴＶ放送やラジオ放送を受信する端末であり、固定されている受信端末であるか、携帯できる移動体端末であるかを問わない。また、放送受信装置３０は、放送局１０から受信した情報を表示装置５０、音声再生装置６０へ出力する。なお、本実施形態に係る放送受信装置３０は、表示装置５０、音声再生装置６０とは別個の装置としている。しかし、これに限定するものではなく、放送受信装置３０、表示装置５０、音声再生装置６０が同じ筐体内に具備されるようなもの、例えばテレビセットとしてもよい。また、放送受信装置３０と表示装置５０とが同一の筐体内に具備され、音声再生装置６０だけが別の筐体内に具備されるような構成であってもよい。つまり、これら３つの放送受信装置３０、表示装置５０、音声再生装置６０をどのような装置内に具備するのかについては特に限定するものではない。また、放送受信装置３０には録画機能、録音機能を有していてもよい。
【００３３】
図３に示すように、放送受信装置３０は、操作入力部３１、制御部３２、チューナー３３、ＤＥＭＵＸ（ＤＥＭＵｌｔｉｐｌｅＸｅｒ）部３４、デコード部３５、映像音声出力部３６、記録部３７を主要な構成要素としている。ここで、制御部３２は、たとえば不図示のハードウェア資源であるＣＰＵなどで構成されており、記録部３７やＲＯＭなどに格納されている各種プログラムをＲＡＭに読み出して、各種演算処理を協働して実行することで、放送受信装置３０の各部の機能が行う情報処理を実現することができる。
【００３４】
操作入力部３１は、たとえばリモコンやタッチパネルで構成されるが、音声入力等ができるように構成されてもよい。また、操作入力部３１は、ユーザからの操作入力を受け付けて、制御部３２へユーザの指示を伝える。ユーザは、この操作入力部３１を操作することで、放送受信装置３０への操作入力を行うことができる。なお、放送受信装置３０への操作入力は、赤外線などの無線信号（操作信号）を介して放送受信装置３０内に設けられた操作入力部３１に入力されるようにしてもよい。操作入力部３１に入力された操作信号は、不図示のバスを介して制御部３２に入力される。また、操作入力部３１は、請求項の電子番組情報取得要求部および告知情報取得要求部として機能する。
【００３５】
制御部３２は、操作入力部３１に入力された操作信号を解析し、放送受信装置３０を構成する各部若しくはその一部の動作を制御する中央演算処理装置である。例えば、ユーザが操作入力部３１を用いてチャンネルの選局指示を入力すると、この選局指示内容を示す信号が、操作入力部３１および不図示のバスを介して制御部３２に入力される。これにより制御部３２は、不図示のバスを介してチューナー３３に対して、ユーザが選局したチャンネルへの選局指示を送信する。また、制御部３２は、請求項の電子番組情報取得部、告知情報取得部、告知情報出力部、番組選択部の一部として機能する。
【００３６】
チューナー３３は、放送局１０の放送波をアンテナで受信し、受信したＲＦ（Ｒａｄｉｏ  Ｆｒｅｑｕｅｎｃｙ）信号を復調し、誤り訂正等を行い、ＴＳパケットからなるＴＳ信号をＤＥＭＵＸ部３４へ出力する。また、チューナー３３は、請求項の電子番組情報取得部の一部、告知情報取得部の一部、番組選択部の一部として機能する。なお、図３では、チューナー３３は地上デジタル放送を受信するために１つのみ図示したが、アナログ放送も受信する場合にはアナログ放送用のチューナー３３を備えていてもよく、２つのチューナー３３を備えるようにしてもよい。なお、ＴＳ信号がスクランブル処理を施されて伝送されてきた場合には、通常の信号へと解除する処理を行うデスクランブラ部を備えていてもよい。その場合には、当該デスクランブラ部は、スクランブル処理が解除されたＴＳパケットからなるＴＳ信号を、ＤＥＭＵＸ部３４に供給するようにしてもよい。
【００３７】
ＤＥＭＵＸ部３４は、チューナー３３から出力されたＴＳパケットからなるＴＳ信号（つまり、送信側の放送送信装置１１のＭＵＸ部１６で映像や音声などの複数のストリームを多重化した放送データ）を、映像や音声などのストリームデータと、ＳＩ／ＰＳＩなどのセクション形式のデータとに分離する処理を行う。また、ＤＥＭＵＸ部３４は、請求項の電子番組情報取得部の一部、告知情報取得部の一部、番組選択部の一部として機能する。なお、ＤＥＭＵＸ部３４によって分離された各データは、制御部３２の指示にしたがい、デコード部３５に供給される。
【００３８】
デコード部３５は、制御部３２の指示にしたがい、放送用コンテンツ１７ａやＥＰＧ情報、データ放送などをデコードする。また、デコード部３５は、デコードしたこれらのデータを記録部３７に供給する。なお、デコード部３５が記録部３７に供給するデータは、映像信号、音声信号としてデコードせずに、データ信号としてそのまま供給するようにしてもよい。
【００３９】
また、デコード部３５は、上述した放送用コンテンツ１７ａやＥＰＧ情報、データ放送などに対してデコードを行って、それぞれオーディオデータ、ビデオデータ、番組データを生成する。デコードされたオーディオデータは、上述の音声再生装置６０に供給する。また、デコード部３５は、請求項の告知情報出力部の一部、番組選択部の一部として機能する。音声再生装置６０は、供給されたオーディオデータに対してＤ／Ａ変換処理を行い、音声信号として出力する。また、デコード部３５は、デコードされたビデオデータおよび番組データを、映像音声出力部３６へ供給する。
【００４０】
映像音声出力部３６は、供給された番組データを不図示のＲＡＭに格納する。映像音声出力部３６は、番組データを描画することでＥＰＧ情報を生成する。そして、映像音声出力部３６は、デコード部３５からのビデオデータに基づいた画面上に、ＥＰＧ情報に基づいた画面を合成した合成画面を生成し、表示装置５０に送出する。また、映像音声出力部３６は、請求項の告知情報出力部の一部として機能する。表示装置５０は、この合成画面を表示する。記録部３７は、制御部３２からの記録指示によりデコード部３５でデコードしたデータを記憶する。
【００４１】
１−２．各装置の処理
１−２−１．放送送信装置の懸賞情報配信処理（対応する図面：図４，５）
図４は、懸賞情報のデータ列の一例を示す図である。図４に示すように、懸賞情報のデータ列には、「放送種別」、「放送局名」、「放送開始日時」、「放送終了日時」、「番組名」、「プレゼントジャンル」、「プレゼント商品名」、「プレゼント画像」、「リアルタイムか否か」、「応募方法」、「懸賞申し込み開始日時」、「懸賞申し込み終了日時」などのフィールドが含まれている。「放送種別」のフィールドには、地上デジタル放送やＢＳデジタル放送、ＣＳ放送、ＦＭラジオ放送、ＡＭラジオ放送等の放送種別が記載される。「放送局名」のフィールドには、放送局名が記載される。「番組名」のフィールドには、当該番組のフィールド名が記載される。「放送開始時刻」、「放送終了時刻」のフィールドには、当該番組の開始時刻、終了時刻がそれぞれ記載される。「リアルタイム情報」のフィールドには、番組放送中にリアルタイム（あるいは番組放送日）に応募が締切となる懸賞かどうかの情報が記載される。「プレゼントジャンル」のフィールドには、当該プレゼントのジャンル情報が記載される。「プレゼント名」のフィールドには、当該プレゼント名が記載される。「応募方法」のフィールドには、懸賞の応募方法の種別（例えば郵送、電話、インターネット等）が記載される。「懸賞申し込み開始日時」、「懸賞終了日時」のフィールドには、それぞれ懸賞の申込開始日時、締切日時が記載される。なお、郵送の場合は、消印が有効な日が記載されてもよい。「応募方法」のフィールド以降については、複数の応募方法がある場合はそれぞれの応募方法について順次繰り返し形式でフィールドが追加されるようにしてもよい。
【００４２】
上述した懸賞情報をＥＰＧ情報に入れる場合には、例えばＡＲＩＢ（Ａｓｓｏｃｉａｔｉｏｎ  ｏｆ  Ｒａｄｉｏ  Ｉｎｄｕｓｔｒｉｅｓ  ａｎｄ  Ｂｒｏａｄｃａｓｔ）で規定される地上デジタル放送や、ＢＳデジタル放送のＳＩ情報中にあるＥＰＧ情報のＴＹＰＥ−Ｈを表示するための、番組表形式のデータ部分又は及び個別の番組の説明のためのデータ部分に入れることが好ましい。また、他の放送や他のＥＰＧ表示形式の場合（ワンセグ放送）の場合には、番組名や番組説明のためのテキスト情報のデータ中に懸賞情報を入れることが好ましい。また、懸賞情報は、放送受信装置３０側でテキスト検索できるよう、所定のキーワード“懸賞”、“プレゼント”といった文字列を含むようにすることが好ましい。また、応募条件を記述する場合には、“応募条件”という文字列のあとに所定の条件内容を記載することが好ましい。応募の開始、終了期間についても、同様の形式で表現を行うことが好ましい。
【００４３】
図５は、図１に示す放送送信装置１１で行う放送配信処理のフローチャートである。
【００４４】
ＳＴＡＲＴ：制御部１２は、電源がＯＮになる、または当該配信モードが選択されると放送配信処理を開始する。制御部１２は、放送配信処理を開始すると、ステップＳ１の処理へ移行する。
【００４５】
ステップＳ１：制御部１２は、懸賞のある番組か否か判断する。放送送信装置１１の制御部１２は、懸賞のある番組である場合（ステップＳ１でＹＥＳ）にはステップＳ３の処理へ移行し、懸賞のある番組でない場合（ステップＳ１でＮＯ）にはステップＳ２の処理へ移行する。
【００４６】
ステップＳ２：制御部１２は、ＥＰＧ情報を生成する。制御部１２は、ステップＳ２の処理が完了すると、ステップＳ４の処理へ移行する。
【００４７】
ステップＳ３：制御部１２は、懸賞がある旨の情報を含めてＥＰＧ情報を生成する。制御部１２は、ステップＳ３の処理が完了すると、ステップＳ４の処理へ移行する。
【００４８】
ステップＳ４：制御部１２は、送信する期間内の全ての番組について懸賞の有無をチェックする。制御部１２は、送信する期間内の全ての番組について懸賞の有無をチェックした場合（ステップＳ４でＹＥＳ）は、ステップＳ５の処理へ移行し、チェックしていない場合（ステップＳ４でＮＯ）は、ステップＳ１の処理へ戻る。
【００４９】
ステップＳ５：制御部１２は、放送コンテンツ、データ放送、ＥＰＧ情報を多重化する。制御部１２は、ステップＳ５の処理が完了すると、ステップＳ６の処理へ移行する。
【００５０】
ステップＳ６：制御部１２は、ステップＳ５で多重化した放送データを配信して放送配信処理を終了する（ＥＮＤ）。
【００５１】
このような配信処理とすることで、懸賞情報の有無がＥＰＧ情報に含まれて配信されるため、視聴者が放送番組内で告知される情報を容易に知ることができる。また、当該告知情報が放送番組の視聴するための動機付けとなり、当該放送番組の視聴率アップに寄与することができる。
【００５２】
１−２−２−１．放送受信装置の懸賞情報表示処理その１
図６は、図１に示す放送受信装置３０で行う画面表示処理のフローチャートである。
【００５３】
ＳＴＡＲＴ：制御部３２は、電源がＯＮになる、または当該表示モードが選択されると画面表示処理を開始する。制御部３２は、画面表示処理を開始すると、ステップＳ１０の処理へ移行する。
【００５４】
ステップＳ１０：制御部３２は、ＥＰＧ画面表示要求の有無を判断する。制御部３２は、ＥＰＧ画面表示の要求がある場合（ステップＳ１０でＹＥＳ）には、ステップＳ１１の処理へ移行し、要求がない場合には、ステップＳ１０の判断処理を繰り返す。
【００５５】
ステップＳ１１：制御部３２は、懸賞情報が受信済か否か判断する。制御部３２は、懸賞情報を受信済の場合（ステップＳ１１でＹＥＳ）、ステップＳ１３の処理へ移行する。一方、制御部３２は、懸賞情報を未受信の場合（ステップＳ１１でＮＯ）、ステップＳ１２の処理へ移行する。
【００５６】
ステップＳ１２：制御部３２は、懸賞情報の受信処理を行い、ステップＳ１３の処理へ移行する。
【００５７】
ステップＳ１３：制御部３２は、ＥＰＧ画面の表示処理を行って処理を終了する（ＥＮＤ）。
【００５８】
続いて、図６に示した通常の画面表示処理に加えて、懸賞情報の有無を判断して懸賞情報を表示する処理について説明する。図７は、図１に示す放送受信装置３０で行う懸賞情報表示処理のフローチャートである。
【００５９】
ＳＴＡＲＴ：制御部３２は、電源がＯＮになる、または当該表示モードが選択されると懸賞情報表示処理を開始する。制御部３２は、懸賞情報表示処理を開始すると、ステップＳ２０の処理へ移行する。
【００６０】
ステップＳ２０：制御部３２は、ＥＰＧ画面の表示要求の有無を判断する。制御部３２は、ＥＰＧ画面の表示要求がある場合（ステップＳ２０でＹＥＳ）には、ステップＳ２１の処理へ移行し、ＥＰＧ画面の表示要求がない場合（ステップＳ２０でＮＯ）には、ステップＳ２０の判断処理を繰り返す。
【００６１】
ステップＳ２１：制御部３２は、懸賞情報が受信済か否か判断する。制御部３２は、懸賞情報を受信済の場合（ステップＳ２１でＹＥＳ）には、ステップＳ２３の処理へ移行する。一方、制御部３２は、懸賞情報を未受信の場合（ステップＳ２１でＮＯ）、ステップＳ２２の処理へ移行する。
【００６２】
ステップＳ２２：制御部３２は、懸賞受信の受信処理を行い、ステップＳ２３の処理へ移行する。
【００６３】
ステップＳ２３：制御部３２は、表示要求されている番組に懸賞情報があるか否かを判断する。具体的には、制御部３２は、ＥＰＧ情報に表示される画面（表示要求された放送種別、放送局、時間帯）の中に懸賞番組があるか否かを検出する。制御部３２は、表示要求されている番組に懸賞情報がある場合（ステップＳ２３でＹＥＳ）には、ステップＳ２５の処理へ移行し、懸賞情報がない場合（ステップＳ２３でＮＯ）にはステップＳ２４の処理へ移行する。
【００６４】
ステップＳ２４：制御部３２は、通常のＥＰＧ画面を表示する。制御部３２は、ステップＳ２４の処理が完了すると、ステップＳ２６の処理へ移行する。
【００６５】
ステップＳ２５：制御部３２は、懸賞のある番組を強調表示したＥＰＧ画面を表示する。具体的には、制御部３２は、アイコンで懸賞番組があることを示したり、ＥＰＧ上の当該番組の背景色を変更したりする。制御部３２は、ステップＳ２３の処理が完了すると、ステップＳ２６の処理へ移行する。
【００６６】
ステップＳ２６：制御部３２は、表示番組の変更要求の有無を判断する。具体的には、制御部３２は、表示している時間帯の変更、日付の変更、放送局１０の変更、番組の変更等の有無を判断する。制御部３２は、表示番組の変更要求がある場合（ステップＳ２６でＹＥＳ）には、ステップＳ２３の処理へ移行し、表示番組の変更要求がない場合（ステップＳ２６でＮＯ）には、ステップＳ２６の判断処理を繰り返す。
【００６７】
このような表示処理とすることで、ＥＰＧ画面内に懸賞情報がある番組が強調表示されるため、視聴者は一目で懸賞情報の有無を把握することができる。したがって、放送番組内で告知される情報を容易に知ることができる。また、放送番組の視聴するための動機付けとなり、当該放送番組の視聴率アップに寄与することができる。
【００６８】
１−２−２−２．放送受信装置の懸賞情報表示処理その２
図８は、図１に示す放送受信装置３０で行う懸賞情報表示処理のフローチャートである。この図８に示す懸賞情報表示処理は、リアルタイム性の高い懸賞情報があるか否かの判断を行っている点が図７の懸賞情報表示処理と異なる。なお、図７の懸賞情報表示処理と同一の処理（図８のＳＴＡＲＴ、ステップＳ２０、Ｓ２１、Ｓ２２、Ｓ２３、Ｓ２４、Ｓ２５、Ｓ２６の処理）については、同一のステップ番号を付し、説明を省略する。
【００６９】
ステップＳ３０：制御部３２は、当該番組の懸賞情報の応募期間がたとえば放送時間内に限られるなどのリアルタイム性の高いものであるか否かを判断する。リアルタイムの応募の懸賞番組とは具体的には、電話やインターネット、ファックス等でリアルタイムに応募する番組を指す。例えば、クイズ番組に回答する形のものやアンケート形式のもの、リクエスト形式のものがあげられる。リアルタイムの懸賞番組は、録画あるいは録音して後から楽しむ場合にはプレゼントに応募できなくなってしまう番組である。なお、当日又は翌日消印有効の郵便による応募の番組やリアルタイムではないが、２４時間以内に応募締切となる番組もリアルタイムの懸賞番組とみなしてもよい。
【００７０】
制御部３２は、当該番組で告知される懸賞がリアルタイム性の高いものであると判断した場合（ステップＳ３０でＹＥＳ）には、ステップＳ３１の処理へ移行し、リアルタイム性の高いものではないと判断した場合（ステップＳ３０でＮＯ）には、ステップＳ２５の処理へ移行する。なお、通常の懸賞番組について強調表示を行っている場合には、リアルタイムの懸賞番組の強調表示を通常の懸賞番組とは異なる形式（背景色、アイコン等）で表現することが好ましい。
【００７１】
ステップＳ３１：制御部３２は、ステップＳ３０の処理でリアルタイム性の高い懸賞である番組欄を強調表示したＥＰＧ画面を表示させる。制御部３２は、ステップＳ３１の処理が完了すると、ステップＳ２６の処理へ移行する。なお、リアルタイム性の高い懸賞である番組欄の強調表示とリアルタイム性が高くはない懸賞である番組欄の強調表示は異なるような設定とすることが好ましい。
【００７２】
このような表示処理とすることで、ＥＰＧ画面内に懸賞情報がある番組が強調表示されるため、視聴者は一目で懸賞情報の有無を把握することができる。したがって、放送番組内で告知される情報を容易に知ることができる。また、特にリアルタイム性の高い懸賞情報に着目させることで、当該懸賞情報のある放送番組を視聴させることに繋がるため、視聴率アップに寄与することができる。
【００７３】
１−２−２−３．放送受信装置の懸賞情報表示処理その３
【００７４】
続いて、放送受信装置３０の懸賞情報表示処理その３について説明する。この懸賞情報表示処理では、ユーザが予め設定したユーザ設定情報に基づいて表示処理を行うものである。まず、はじめにユーザ設定処理について説明する。図９は、図１に示す放送受信装置３０で行うユーザ設定処理のフローチャートである。
【００７５】
ＳＡＴＲＴ：制御部３２は、当該設定モードが選択されるとユーザ設定処理を開始する。制御部３２は、ユーザ設定処理を開始すると、ステップＳ３３１の処理へ移行する。
【００７６】
ステップＳ４０：制御部３２は、懸賞情報の表示設定要求の有無を判断する。制御部３２は、懸賞情報の表示設定の要求がある場合（ステップＳ４０でＹＥＳ）には、ステップＳ４１の処理へ移行し、要求がない場合（ステップＳ４０でＮＯ）には、ユーザ設定処理を終了する（ＥＮＤ）。
【００７７】
ステップＳ４１：制御部３２は、ステップＳ４０の要求通りの表示方法を設定する。具体的には、制御部３２は、懸賞情報がある場合の強調表示（背景色、アイコン等）の要否や応募方法の強調表示、リアルタイム性の高い懸賞についての表現方法等の各種設定を行う。制御部３２は、ステップＳ４１の処理が完了すると、ステップＳ４２の処理へ移行する。
【００７８】
ステップＳ４２：制御部３２は、ステップＳ４１の表示方法を記憶して、ユーザ設定処理を終了する（ＥＮＤ）。
【００７９】
このようなユーザ設定処理とすることで、ＥＰＧ画面内に懸賞情報がある番組の表示方法をユーザの所望する表示方法に設定することができ、利用者に即した操作性や視認性を確保することができる。また、利用者が異なる場合には、それぞれの設定環境を記憶することもできる。
【００８０】
続いて、このユーザ設定情報に基づく懸賞情報表示処理について説明する。図１０は、図９に示すユーザ設定処理を反映させた画面表示処理のフローチャートである。なお、図７の懸賞情報表示処理と同一の処理（図１０のＳＴＡＲＴ、ステップＳ２０、Ｓ２１、Ｓ２２、Ｓ２３、Ｓ２４、Ｓ２６の処理）については、同一のステップ番号を付し、説明を省略する。
【００８１】
ステップＳ５０：制御部３２は、ステップＳ２３において、表示要求のある番組に懸賞情報がある場合には、懸賞情報の表示設定情報の有無を判断する。制御部３２は、懸賞情報の表示設定情報がある場合（ステップＳ５０でＹＥＳ）には、ステップＳ５１の処理へ移行し、懸賞情報の表示設定情報がない場合（ステップＳ５０でＮＯ）には、ステップＳ２４の処理へ移行する。なお、懸賞情報の表示設定情報の有無は、たとえば図９で説明したユーザ設定処理において記憶した懸賞情報の表示設定ファイルの有無などで判断することができる。
【００８２】
ステップＳ５１：制御部３２は、設定された内容を反映した懸賞情報を含むＥＰＧ画面を表示させて、懸賞情報表示処理を終了する（ＥＮＤ）。
【００８３】
このような表示処理とすることで、利用者が操作入力部３１などで予め設定した表示方法に即して表示されるため、利用者に即した操作性や視認性が確保される。
【００８４】
１−２−２−４．放送受信装置の応募情報表示処理
図１１は、図１に示す放送受信装置３０で行う応募情報表示処理のフローチャートである。この図１１に示す応募情報表示処理は、懸賞番組の応募方法についての判別を行っている点が図７の懸賞情報表示処理と異なる。なお、図７の懸賞情報表示処理と同一の処理（図１１のＳＴＡＲＴ、ステップＳ２０、Ｓ２１、Ｓ２２、Ｓ２３、Ｓ２４、Ｓ２５、Ｓ２６の処理）については、同一のステップ番号を付し、説明を省略する。
【００８５】
ステップＳ６０：制御部３２は、懸賞情報に応募方法の情報があるか否かを判断する。具体的には、制御部３２は、電話での応募、ホームページへのアクセス、ファックス、郵便等の情報の有無を判断する。制御部３２は、懸賞情報に応募方法の情報がある場合（ステップＳ６０でＹＥＳ）には、ステップＳ６１の処理へ移行し、懸賞情報に応募方法の情報がない場合（ステップＳ６０でＮＯ）には、ステップＳ２５の処理へ移行する。なお、送信されてきた懸賞情報に応募方法の情報があるか否かは、送信データ内にフラグ判別できるようなデータ列を追加する、または懸賞情報として送信されてきたデータ内の応募方法フィールドを参照することにより応募方法の情報の有無を判断することができる。
【００８６】
ステップＳ６１：制御部３２は、応募情報を追加し、懸賞のある番組を強調表示したＥＰＧ画面を表示させる。具体的には、制御部３２は、応募方法ごとに番組の背景色を変えることや所定のアイコンを表示するといった制御を行う。制御部３２は、ステップＳ６１の処理が完了するとステップＳ２６の処理へ移行する。
【００８７】
このような表示処理とすることで、番組内で告知される応募情報に加えて、当該懸賞の応募期限などのより詳細な応募情報を表示画面から知ることができる。
【００８８】
１−２−２−５．放送受信装置のＥＰＧ画面表示処理（その１）
図１２は、図１に示す放送受信装置３０で行うＥＰＧ画面表示処理（その１）のフローチャートである。この図１２に示すＥＰＧ画面表示処理（その１）は、懸賞番組を表示して記録予約することができる。なお、「記録予約」とはテレビ放送などの画像情報の録画予約とラジオ放送などの音声情報の録音予約の双方を含める呼び方である。
【００８９】
ＳＴＡＲＴ：制御部３２は、ＥＰＧ画面表示モードが選択されるとＥＰＧ画面表示処理を開始する。制御部３２は、ＥＰＧ画面表示処理を開始するとステップＳ７０の処理へ移行する。
【００９０】
ステップＳ７０：制御部３２は、ＥＰＧ画面の表示要求の有無を判断する。制御部３２は、ＥＰＧ画面の表示要求があると（ステップＳ７０のＹＥＳ）、ステップＳ７１の処理へ移行する。一方、制御部３２は、ＥＰＧ画面の表示要求が無いと（ステップＳ７０のＮＯ）、ステップＳ７０の処理を繰り返す。
【００９１】
ステップＳ７１：制御部３２は、懸賞情報が受信済か否か判断する。制御部３２は、懸賞情報を受信済の場合（ステップＳ７１でＹＥＳ）、ステップＳ７３の処理へ移行する。一方、制御部３２は、懸賞情報を未受信の場合（ステップＳ７１でＮＯ）、ステップＳ７２の処理へ移行する。
【００９２】
ステップＳ７２：制御部３２は、懸賞情報の受信処理を行い、ステップＳ７３の処理へ移行する。
【００９３】
ステップＳ７３：制御部３２は、ＥＰＧ画面の表示を行い、ステップＳ７４の処理へ移行する。
【００９４】
ステップＳ７４：制御部３２は、ＥＰＧ情報内の特定の番組に対する表示要求の有無を判断する。制御部３２は、ＥＰＧ情報内の特定の番組が表示要求された場合（ステップＳ７４でＹＥＳ）、ステップＳ７５の処理へ移行する。一方、制御部３２は、ＥＰＧ情報内の特定の番組が表示要求されない場合（ステップＳ７４でＮＯ）、ステップＳ７４の処理を繰り返す。
【００９５】
ステップＳ７５：制御部３２は、ステップＳ７４の処理で選択された特定の番組を表示してステップＳ７６の処理へ移行する。
【００９６】
ステップＳ７６：制御部３２は、ステップＳ７５の処理で表示された特定の番組に対する記録予約の指示の有無を判断する。制御部３２は、ステップＳ７５の処理で表示された特定の番組に対する記録予約の指示が有れば（ステップＳ７６でＹＥＳ）、ステップＳ７７の処理へ移行する。一方、制御部３２は、ステップＳ７５の処理で表示された特定の番組に対する記録予約の指示が無ければ（ステップＳ７６でＮＯ）、処理を終了する（ＥＮＤ）。
【００９７】
ステップＳ７７：制御部３２は、ステップＳ７６の処理で記録予約指定が有ったとき、その記録予約された番組が懸賞情報を含むか否か判断する。制御部３２は、記録予約された番組が懸賞情報を含む場合（ステップＳ７７でＹＥＳ）、ステップＳ７８の処理へ移行する。一方、制御部３２は、その記録予約された番組が懸賞情報を含まないと判断した場合（ステップＳ７７でＮＯ）、処理を終了する（ＥＮＤ）。
【００９８】
ステップＳ７８：制御部３２は、ステップＳ７７の処理でＹＥＳのときには、その旨をユーザに対して通知し、処理を終了する（ＥＮＤ）。
【００９９】
このようなＥＰＧ画面表示処理（その１）により、記録予約した番組が懸賞情報を有するか否かをユーザに通知できるため、ユーザが懸賞情報のある番組の記録予約を失敗する確率を著しく低下させることができる。
【０１００】
１−２−２−６．放送受信装置のＥＰＧ画面表示処理（その２）
図１３は、図１に示す放送受信装置３０で行うＥＰＧ画面表示処理（その２）のフローチャートである。この図１３に示すＥＰＧ画面表示処理（その２）は、懸賞番組を記録予約することができる。図１２に示すＥＰＧ画面表示処理（その１）とは特定の番組の表示を行うか否かが異なる。なお、図１２のＥＰＧ画面表示処理（その１）と同一の処理（図１３のＳＴＡＲＴ、ステップＳ７０、Ｓ７１、Ｓ７２、Ｓ７３、Ｓ７８の処理）については、同一のステップ番号を付し、説明を省略する。
【０１０１】
ステップＳ８０：制御部３２は、ＥＰＧ情報内の特定の番組が選択された場合（ステップＳ８０でＹＥＳ）、ステップＳ８１の処理へ移行する。一方、制御部３２は、ＥＰＧ情報内の特定の番組が選択されない場合（ステップＳ８０でＮＯ）、ステップＳ８０の処理を繰り返す。
【０１０２】
ステップＳ８１：制御部３２は、ステップＳ８０の処理で選択された特定の番組に対する記録予約の有無を判断する。制御部３２は、ステップＳ８０の処理で選択された特定の番組に対する記録予約の指示が有れば（ステップＳ８１でＹＥＳ）、ステップＳ７７の処理へ移行する。一方、制御部３２は、ステップＳ８０で選択された特定の番組に対する記録予約の指示が無ければ（ステップＳ８１でＮＯ）、処理を終了する（ＥＮＤ）。
【０１０３】
このようなＥＰＧ画面表示処理により、記録予約した番組が懸賞情報を有するか否かをユーザに通知できるため、ユーザが懸賞情報のある番組の記録予約を失敗する確率を著しく低下させることができる。
【０１０４】
１−２−２−７．放送受信装置の番組検索表示処理
図１４は、図１に示す放送受信装置３０で行う番組検索表示処理のフローチャートである。この図１４に示す番組検索表示処理は、検索条件に合致する番組のみを検索して表示する点がこれまで説明した処理と異なる。
【０１０５】
ＳＴＡＲＴ：制御部３２は、番組検索表示モードが選択されると番組検索表示処理を開始する。制御部３２は、番組検索表示処理を開始すると、ステップＳ９０の処理へ移行する。
【０１０６】
ステップＳ９０：制御部３２は、番組検索要求の有無を判断する。制御部３２は、番組検索要求がある場合（ステップＳ９０でＹＥＳ）には、ステップＳ９１の処理へ移行する。一方、制御部３２は、番組検索要求がない場合（ステップＳ９０でＮＯ）には、ステップＳ９０の処理繰り返す。
【０１０７】
ステップＳ９１：制御部３２は、ユーザが入力する検索内容の設定を行い、ステップＳ９２の処理へ移行する。なお、ユーザが検索内容を入力しなければ、デフォルトの検索内容とする。
【０１０８】
ステップＳ９２：制御部３２は、検索内容に合致する番組が有るか否か判断する。制御部３２は、検索内容に合致する番組が有る場合（ステップＳ９２でＹＥＳ）、ステップＳ９３の処理へ移行する。一方、制御部３２は、検索内容に合致する番組が無い場合（ステップＳ９２でＮＯ）、処理を終了する（ＥＮＤ）。
【０１０９】
ステップＳ９３：制御部３２は、検索内容に合致する番組情報を表示してステップＳ９４の処理へ移行する。
【０１１０】
ステップＳ９４：制御部３２は、ステップＳ９３の処理で表示された番組情報に対する記録予約指示の有無を判断する。制御部３２は、ステップＳ９３の処理で表示された番組情報に対する記録予約指示がある場合（ステップＳ９４でＹＥＳ）、ステップＳ９５の処理へ移行する。一方、制御部３２は、ステップＳ９３の処理で表示された番組情報に対する記録予約指示が無い場合（ステップＳ９４でＮＯ）、処理を終了する（ＥＮＤ）。なお、ステップＳ９３からステップＳ９４に処理が移行してから記録予約指示が無いと判断するまでの判断期間を適宜設けることが好ましい。
【０１１１】
ステップＳ９５：制御部３２は、ステップＳ９４の処理で記録予約指示が有る場合（ステップＳ９４でＹＥＳ）、その記録予約指示の対象となる番組が懸賞情報を含むか否か判断する。制御部３２は、その番組が懸賞情報を含む場合（ステップＳ９５でＹＥＳ）、ステップＳ９６の処理へ移行する。一方、制御部３２は、その番組が懸賞情報を含まない場合（ステップＳ９５でＮＯ）、処理を終了する（ＥＮＤ）。
【０１１２】
ステップＳ９６：制御部３２は、ステップＳ９５の処理で懸賞情報を含むとされた番組についてその旨をユーザに通知（表示）し、処理を終了する（ＥＮＤ）。
【０１１３】
このような番組検索表示処理により、検索に合致する番組のみを選択して表示でき、その番組における懸賞情報の有無を表示できるため、ユーザが懸賞情報の有る番組の記録予約に失敗する確率を著しく低下させることができる。
【０１１４】
１−２−２−８．放送受信装置のおススメ番組自動記録処理
図１５は、図１に示す放送受信装置３０で行うおススメ番組自動記録処理のフローチャートである。ここで、「おススメ番組」とは、放送受信装置３０の記録部３７に記録されている過去の視聴履歴や過去の検索履歴などを利用して制御部３２が自動的に検索設定を行い、これに基づき検索した番組のことである。このような技術は周知慣用技術であるため詳細な説明は省略する。
【０１１５】
図１５に示すおススメ番組自動記録処理は、放送受信装置３０が自動的に生成する検索条件に合致する番組を検索して自動的に記録する点が図１４で説明した番組検索表示処理と異なる。
【０１１６】
ＳＴＡＲＴ：制御部３２は、おススメ番組自動記録モードが選択されるとおススメ番組自動記録処理を開始する。制御部３２は、おススメ番組自動記録処理を開始すると、ステップＳ１００の処理へ移行する。
【０１１７】
ステップＳ１００：制御部３２は、おススメ番組自動記録要求の有無を判断する。制御部３２は、おススメ番組自動記録要求がある場合（ステップＳ１００でＹＥＳ）には、ステップＳ１０１の処理へ移行する。一方、制御部３２は、おススメ番組自動記録要求がない場合（ステップＳ１００でＮＯ）には、ステップＳ１００の処理を繰り返す。
【０１１８】
ステップＳ１０１：制御部３２は、懸賞情報が受信済か否か判断する。制御部３２は、懸賞情報を受信済の場合（ステップＳ１０１でＹＥＳ）、ステップＳ１０３の処理へ移行する。一方、制御部３２は、懸賞情報を未受信の場合（ステップＳ１０１でＮＯ）、ステップＳ１０２の処理へ移行する。
【０１１９】
ステップＳ１０２：制御部３２は、懸賞情報の受信処理を行い、ステップＳ１０３の処理へ移行する。
【０１２０】
ステップＳ１０３：制御部３２は、自動記録しようとするおススメ番組が懸賞情報を含むか否か判断する。制御部３２は、自動記録しようとするおススメ番組が懸賞情報を含んでいる場合（ステップＳ１０３でＹＥＳ）、ステップＳ１０４の処理へ移行する。一方、制御部３２は、自動記録しようとするおススメ番組が懸賞情報を含んでいない場合（ステップＳ１０３でＮＯ）、処理を終了する（ＥＮＤ）。
【０１２１】
ステップＳ１０４：制御部３２は、自動記録しようとするおススメ番組の中で懸賞情報を含む番組を表示してステップＳ１０５の処理へ移行する。
【０１２２】
ステップＳ１０５：制御部３２は、ステップＳ１０４で表示された番組に対する視聴予約の有無を判断する。制御部３２は、ステップＳ１０４で表示された番組に対する視聴予約が有れば（ステップＳ１０５でＹＥＳ）、ステップＳ１０６の処理へ移行する。一方、制御部３２は、ステップＳ１０４の処理で表示された番組に対する視聴予約が無ければ（ステップＳ１０５でＮＯ）、ステップＳ１０７の処理へ移行する。
【０１２３】
ステップＳ１０６：制御部３２は、ステップＳ１０５の処理における視聴予約の設定を行い、ステップＳ１０７の処理へ移行する。
【０１２４】
ステップＳ１０７：制御部３２は、自動記録しようとする番組の中から記録予約を外す番組の有無を判断する。制御部３２は、自動記録しようとする番組の中から記録予約を外す番組がある場合（ステップＳ１０７でＹＥＳ）、ステップＳ１０８の処理へ移行する。一方、制御部３２は、自動記録しようとする番組の中から記録予約を外す番組が無ければ（ステップＳ１０７でＮＯ）、処理を終了する（ＥＮＤ）。
【０１２５】
ステップＳ１０８：制御部３２は、ステップＳ１０７の処理において自動記録しようとする番組の中から記録予約を外す番組がある場合（ステップＳ１０７でＹＥＳ）、その番組の記録予約を外し、処理を終了する（ＥＮＤ）。
【０１２６】
このようなおススメ番組自動記録処理により、おススメ番組を自動的に記録できる。また、その自動記録する番組における懸賞情報の有無を表示できるため、ユーザが懸賞情報の有る番組の記録予約に失敗する確率を著しく低下させることができる。
【０１２７】
１−２−２−９．放送受信装置の懸賞番組表示処理
図１６は、図１に示す放送受信装置３０で行う懸賞番組表示処理のフローチャートである。図１６に示す懸賞番組表示処理は、図１２、図１３のステップＳ７８、図１４のステップＳ９６の処理の詳細である。
【０１２８】
ＳＴＡＲＴ：制御部３２は、図１２、図１３のステップＳ７８の処理、図１４のステップＳ９６の処理において懸賞番組表示処理を開始する。制御部３２は、懸賞番組表示処理を開始すると、ステップＳ１１０の処理へ移行する。
【０１２９】
ステップＳ１１０：制御部３２は、当該番組が懸賞番組である旨表示し、ステップＳ１１１の処理へ移行する。
【０１３０】
ステップＳ１１１：制御部３２は、懸賞情報の詳細情報の表示要求の有無を判断する。制御部３２は、懸賞情報の詳細情報の表示要求が有れば（ステップＳ１１１でＹＥＳ）、ステップＳ１１２の処理へ移行する。一方、制御部３２は、懸賞情報の詳細情報の表示要求が無ければ（ステップＳ１１１でＮＯ）、ステップＳ１１３の処理へ移行する。
【０１３１】
ステップＳ１１２：制御部３２は、懸賞情報の詳細を表示してステップＳ１１３の処理へ移行する。
【０１３２】
ステップＳ１１３：制御部３２は、当該番組に対する視聴予約の設定の有無を判断する。制御部３２は、当該番組に対する視聴予約の設定がある場合（ステップＳ１１３でＹＥＳ）、ステップＳ１１４の処理へ移行する。一方、制御部３２は、当該番組に対する視聴予約の設定が無ければ（ステップＳ１１３でＮＯ）、ステップＳ１１５の処理へ移行する。
【０１３３】
ステップＳ１１４：制御部３２は、当該番組に対する視聴予約を行ってステップＳ１１５の処理へ移行する。なお、制御部３２は、視聴予約が行われた番組については、同時に、記録予約も行われるものと判断する。
【０１３４】
ステップＳ１１５：制御部３２は、当該番組に対して行われた記録予約を外すか否か判断する。制御部３２は、その記録予約を外す場合（ステップＳ１１５でＹＥＳ）、ステップＳ１１６の処理へ移行する。一方、制御部３２は、その記録予約をそのままにする場合（ステップＳ１１５でＮＯ）、処理を終了する（ＥＮＤ）。なお、ステップＳ１１５の処理では、記録予約を外すか否かの処理を行ったが、図１２、図１３、図１４の記録予約処理では記録予約を確定せず、ステップＳ１１５の処理に代えて、記録予約を確定するようにしてもよい。
【０１３５】
ステップＳ１１６：当該番組に対する録画予約を外し、処理を終了する（ＥＮＤ）。
【０１３６】
このような懸賞番組表示処理により、ユーザが懸賞情報の有る番組の記録予約に失敗する確率を著しく低下させることができる。また、視聴予約と記録予約とを同時に行うか、それとも視聴予約のみを行うかといった選択が確実かつ容易となる。
【０１３７】
１−２−２−１０．放送受信装置のリアルタイム懸賞番組表示処理
図１７は、図１に示す放送受信装置３０で行うリアルタイム懸賞番組表示処理のフローチャートである。図１７に示すリアルタイム懸賞番組表示処理は、図１２、図１３のステップＳ７８の処理、図１４のステップＳ９６の処理の詳細であり、リアルタイム懸賞番組に対応する例である。
【０１３８】
すなわち、制御部３２は、図１２、図１３のステップＳ７８の処理、図１４のステップＳ９６の処理において、図１６の処理とするか図１７の処理とするかをリアルタイム懸賞番組であるか否かで切り替えるようにすることができる。この場合、制御部３２は、当該番組がリアルタイムの懸賞番組であるか否か判断する。制御部３２は、当該番組がリアルタイムの懸賞番組である場合（ステップＳ１２０でＹＥＳ）、図１６で説明した処理（ステップＳ１１０〜Ｓ１１６）を実行する。一方、当該番組がリアルタイムの懸賞番組でない場合（ステップＳ１２０でＮＯ）、処理を終了する（ＥＮＤ）。
【０１３９】
このようなリアルタイム懸賞番組表示処理により、ユーザがリアルタイムの懸賞情報の有る番組の視聴予約に失敗する確率を著しく低下させることができる。また、視聴予約と記録予約とを同時に行うか、それとも視聴予約のみを行うかといった選択が確実かつ容易となる。
【０１４０】
１−３．懸賞情報表示例
１−３−１．表示例その１
図１８は、図３に示す表示装置５０で表示される画面表示例その１を示す図である。図１８に示すこの画面例は、たとえば上述した図６のステップＳ１１で表示される画面であり、新聞のラテ欄形式で表示したＥＰＧ画面である。当該ＥＰＧ画面の左端には、現在受信中の放送種別が強調表示され、他の放送種別はグレーアウトされている。また、番組表の右上には、現在日時が表示される。本実施の形態では、４つの放送局１０の番組表が表示されている。この番組表において、放送局１０の１つである「東京ＢＣ」、１７時〜１９時の番組「日本7不思議発掘！」に、懸賞情報があるため強調表示されていることを示している。なお、強調表示は行わず、懸賞情報を番組表に表示するのみでもよい。
【０１４１】
１−３−２．表示例その２
図１９は、図３に示す表示装置５０で表示される画面表示例その２を示す図である。また、この画面表示例その２は、図１２のステップＳ７５の処理「特定番組情報の表示」に対応するものである。この図１９で示される画面は、図１８の番組表で「日本７不思議発掘！」が選択された例（方向キーで番組表内の選択番組を移動させ、決定キーを押す）を示す。図１９では、「日本７不思議発掘！」の詳細な番組情報が表示される。方向キーの下を押して画面を送ることにより画面に表示しきれない情報が表示される。
【０１４２】
図１９では、応募方法等も表示される。また、図１９では録画予約ボタン、選局ボタン、視聴予約ボタン、プレゼントボタンが表示される。録画予約ボタンを押すとこの番組の録画（録画予約）を行う。選局ボタンを押すとこの放送局１０にチャンネルを切り替えて表示される。続いて視聴予約ボタンを押すと、この番組の開始時にチャンネルを切り替える制御を行う。プレゼントボタンを押すと、懸賞情報を抽出し、特化した情報を表示する。
【０１４３】
なお、図１９の画面表示例において、画面上のボタンを押す操作は、操作入力部３１の方向キーを押して画面上のボタンを選択し、その上で操作入力部３１の決定ボタンを押す操作になる。あるいは、操作入力部３１が画面上に配置されたタッチパネルである場合には、画面に表示されたボタンを直接指で押すこともできる。
【０１４４】
１−３−３．表示例その３
図２０は、図３に示す表示装置５０で表示される画面表示例その３を示す図である。また、この画面表示例その３は、図１６のステップＳ１１２の処理「懸賞情報の詳細表示」に対応するものである。図２０では、プレゼントボタンが押された場合の懸賞情報を表示している。なお、プレゼント画像データは、懸賞データ列内に画像データを含めて送信することによりプレゼント画像のデータを表示することができる。
【０１４５】
１−３−４．表示例その４
図２１は、図３に示す表示装置５０で表示される画面表示例その４を示す図である。また、画面表示例その４は、図１７のステップＳ１１２の処理「懸賞情報の詳細表示」に対応するものである。図２１では、プレゼントボタンが押された場合の懸賞情報を表示している。「リアルタイムに懸賞がある番組です。」と表示されており、当該番組がリアルタイムに懸賞があることを示している。
【０１４６】
１−３−５．表示例その５
図２２は、図３に示す表示装置５０で表示される画面表示例その５を示す図である。また、画面表示例その５は、図１３のステップＳ７３の処理「ＥＰＧ画面の表示」に対応するものである。図２２は、図１８で説明した新聞のラテ欄形式で表示したＥＰＧ画面であるが、その画面の下に、“赤”、“青”、“黄”、“緑”、“決定”の各ボタンを押した場合の処理が表示されている。“赤”のボタンを押すと「録画予約」が開始される。“青”のボタンを押すと「選局」が開始される。“黄”のボタンを押すと「視聴予約」が開始される。“緑”のボタンを押すと「プレゼント」すなわち懸賞のある番組が強調されて表示される。“決定”のボタンを押すとカーソルが示す番組または強調表示されている番組の詳細情報が表示される。
【０１４７】
１−３−６．表示例その６
図２３は、図３に示す表示装置５０で表示される画面表示例その６を示す図である。また、画面表示例その６は、図１７のステップＳ１１２の処理「懸賞情報の詳細表示」に対応するものである。図２３は、図２２で説明した新聞のラテ欄形式で表示したＥＰＧ画面に対し、緑ボタン（＝プレゼントボタン）を押下した結果を示す。これにより図２２で強調表示されている番組（日本７不思議発掘！）に関する詳細情報として「リアルタイムに懸賞がある番組です。」と表示されている。
【０１４８】
１−３−７．表示例その７
図２４は、図１９、図２２で赤ボタン（＝録画予約ボタン）が押下された場合の画面表示例である。図２４の画面表示例では、録画先のメディア種別（ＨＤＤ:Hard Disc Drive、ＢＤ:Blue lay Disc、ＤＶＤ）が表示される。図２４の画面表示例において、操作入力部３１のキー操作（不図示）などにより録画先のメディアを決定する。このときの決定キーの操作によって、図２５の画面表示例に切り替わる。また、操作入力部３１がタッチパネルであれば、画面上のボタンを直接指などで押下する。
【０１４９】
また、図２５の画面表示例では、録画品質の種別（ＨＱ:High Quality、ＨＱＥ１:High Quality E1、ＨＱＥ２:High Quality E2、ＨＳＤ:High Standard、ＳＤ:Standard、ＬＳＤ:Low Standard）が表示される。図２５の画面表示例において、操作入力部３１のキー操作（不図示）などにより録画品質の種別を決定する。このときの決定キーなどの操作によって、図２６の画面表示例に切り替わる。また、操作入力部３１がタッチパネルであれば、画面上のボタンを直接指などで押下する。
【０１５０】
図２６の画面表示例では、今、録画設定中の番組が懸賞番組である旨が通知される。図２６の画面表示例では「リアルタイム懸賞がある番組です。」と表示されている。このとき、再び決定キーを操作するなどの操作を行うことにより、あるいは、所定時間後に自動的に、図２７の画面表示例に切り替わる。
【０１５１】
図２７の画面表示例では、図２４、図２５、図２６における録画予約の処理に対して「予約取消」、「視聴予約」、「終了」のいずれかの処理が選択可能となる。処理の選択は操作入力部３１のキー操作によって画面上のボタンを選択して操作入力部３１の決定ボタンを押下する。また、操作入力部３１がタッチパネルであれば、画面上のボタンを直接指などで押下する。
【０１５２】
なお、ここで「予約取消」を選択すれば、これまでの録画予約が解除される。また、「視聴予約」を選択すれば、録画予約と共に視聴予約も設定される。録画予約を完了するためには、「終了」を選択する。
【０１５３】
１−３−８．表示例その８
図２８は、図３に示す表示装置５０で表示される画面表示例その８を示す図である。また、画面表示例その８は、図１４のステップＳ９１の処理「検索内容の設定」に対応するものである。図２８は、放送受信中に操作入力部３１の検索ボタン（不図示）を押した場合の画面表示例である。それまで全面に表示されていた放送画像の代わりに検索するジャンルやキーワードが表示される。再度、検索ボタンを押すと、図２９の画面表示例に示すように、検索結果がリスト形式で表示される。なお、図２９の画面表示例は、図１４のステップＳ９３の処理「合致する番組情報の表示」に対応するものである。図２９の画面表示例では、「日本７不思議発掘！」に懸賞が有り、「サンデーＭｕｓｉｃ」が録画予約されていることがわかる。
【０１５４】
１−３−９．表示例その９
図３０は、図３に示す表示装置５０で表示される画面表示例その９を示す図である。また、画面表示例その９は、図１５のステップＳ１０４の処理「合致する番組の表示」に対応するものである。図３０は、図１５に示す記録処理のフローチャートに基づき懸賞情報がある番組の情報が記録されている状況を表示している例である。ここでは「おススメ自動録画番組リスト」となっており、このリストの中から番組を選択して青ボタン（＝録画予約ボタン）を押下すれば、その番組が録画予約される。また、黄ボタン（＝視聴予約ボタン）を押下すれば、その番組の放送時間になると自動的に放送受信装置３０がその番組を選局する。
【０１５５】
以上に説明したことから、本発明の第１実施形態に係る情報配信システム１は、懸賞情報を含めて放送するため、懸賞がある番組を容易に把握することができる。これにより放送局１０側のメリットとして、懸賞を目的とした新たな視聴者を獲得し、視聴機会を増加させることができる。また、ユーザ側のメリットとして、ＥＰＧ情報から簡単に懸賞を行っている番組を把握することができるので、プレゼントを提供している番組を容易に探し出して、視聴または記録再生することができる。また、そのような番組でどのようなプレゼントがなされるのかを簡単に把握することができる。また、リアルタイムの懸賞番組かどうかを把握することにより、その場で視聴するのか録画してから視聴するのかを選択することができる。
【０１５６】
１−４．実施例１の変形例
１−４−１．放送送信装置の構成
続いて、上述した実施例１の変形例である放送送信装置１１Ａについて説明する。図３１は、図２に示す放送送信装置１１の変形例である放送送信装置１１Ａを示す図である。この放送送信装置１１Ａでは、実施例１の放送送信装置１１と異なり、ＥＰＧ情報に懸賞情報を含めて送信するものではなく、ＥＰＧ情報とは別に懸賞情報を生成して、送出するものである。すなわち、懸賞情報作成部１９は、放送スケジュールＤＢ１８を参照して懸賞情報を生成して、生成した懸賞情報と共にＭＵＸ部１６Ａで多重化して送出されるものである。図３１に示す放送送信装置１１Ａには、図２に示す放送送信装置１１では無かった懸賞情報作成部１９がある。また、ＭＵＸ部１６Ａは、懸賞情報作成部１９で作成された懸賞情報を他の信号に多重する機能を有する。
【０１５７】
１−４−２．放送送信装置の処理
図３２は、図３１に示す放送送信装置１１Ａの放送配信処理のフローチャートである。なお、放送スケジュールＤＢ１８に格納されている番組情報には、当該番組内で告知される懸賞情報が関連付けられて記憶されているものとする。
【０１５８】
ＳＴＡＲＴ：制御部１２Ａは、電源がＯＮになる、または当該配信モードが選択されると放送配信処理を開始する。制御部１２Ａは、放送配信処理を開始すると、ステップＳ１３０の処理へ移行する。
【０１５９】
ステップＳ１３０：制御部１２Ａは、放送スケジュールＤＢ１８を参照して、番組情報に懸賞情報が含まれているか否かを判断する。制御部１２Ａは、番組情報に懸賞情報が含まれている場合（ステップＳ１３０でＹＥＳ）には、ステップＳ１３２の処理へ移行し、番組情報に懸賞情報が含まれていない場合（ステップＳ１３０でＮＯ）には、ステップＳ１３１の処理へ移行する。
【０１６０】
ステップＳ１３１：制御部１２Ａは、放送コンテンツ、データ放送、ＥＰＧ情報を多重化する。制御部１２Ａは、ステップＳ１３１の処理が完了すると、ステップＳ１３４の処理へ移行する。
【０１６１】
ステップＳ１３２：制御部１２Ａは、懸賞情報を生成する。制御部１２Ａは、ステップＳ１３２の処理が完了すると、ステップＳ１３３の処理へ移行する。
【０１６２】
ステップＳ１３３：制御部１２Ａは、放送コンテンツ、データ放送、ＥＰＧ情報、懸賞情報を多重化する。制御部１２Ａは、ステップＳ１３３の処理が完了すると、ステップＳ１３４の処理へ移行する。
【０１６３】
ステップＳ１３４：制御部１２Ａは、ステップＳ１３１またはＳ１３３で多重化した放送データを送出して放送配信処理を終了する（ＥＮＤ）。
【０１６４】
また、「実施例１」の図１２〜図１７のフローチャートで説明した記録予約処理については、「実施例１の変形例」においても適用できる。ただし、懸賞情報は、ＥＰＧ情報には含まれていないため、制御部３２は、ＥＰＧ情報に基づいて番組を指定した後、懸賞情報のデータを読みに行き、当該番組に懸賞情報が有るか否かを判断する。そして、制御部３２は、懸賞情報が有る場合には、これを取得することによって「実施例１」で説明した記録予約処理を行うことができる。
【０１６５】
このような配信処理とすることにより、上述した第１実施例の放送送信装置１１の有する効果に加えて、ＥＰＧ情報の生成段階において番組内での懸賞の有無が確定していない場合や、ＥＰＧ情報作成後に懸賞情報を追加したい場合であっても放送データに多重化して放送受信装置３０Ａへ配信を行うことができる。また、ＥＰＧ情報に懸賞情報を含めることができない場合であっても、放送データに多重化して放送受信装置３０Ａへ配信することができる。
【実施例２】
【０１６６】
２．情報配信システム１Ａ（実施例２：ＥＰＧに懸賞情報含む）の全体構成
図３３は、本発明の第２実施形態に係る情報配信システム１Ａの全体構成を示すブロック図である。図３３に示す情報配信システム１Ａは、第１実施形態に係る情報配信システム１と異なり、放送局１０と、放送局サーバ７０と、放送受信装置３０ＡとがＩＰ通信網１００を介して通信可能となっている。放送局１０は、放送波により放送番組やデータ放送、ＥＰＧ情報を送出する。放送局サーバ７０は、ＩＰ通信網１００経由でＥＰＧ情報などを送信する。放送局サーバ７０は、放送局１０が有していてもよいし、別個に独立して存在してもよい。放送局サーバ７０は、独自のインターネット独自の番組や静止画、音声、動画といったコンテンツデータを送信するようにしてもよい。また、放送局サーバ７０は、放送局の番組と連動した独自の番組や静止画、音声、動画といったコンテンツデータを送信するようにしてもよい。受信装置３０は、放送局からの放送波を受信し、受信した番組の表示、音声出力やＥＰＧ情報の出力を行う。放送受信装置３０はたとえば、ＴＶ放送やラジオ放送の受信機である。放送受信装置３０には録画、録音機能を有していてもよい。また、放送局サーバ７０からのコンテンツを受信し、表示や音声出力、データの出力等を可能としている。
【０１６７】
２−１．各部の説明
２−１−１．放送受信装置の構成
図３４は、図３３に示す放送受信装置３０Ａの全体構成を示すブロック図である。図３４に示すように、放送受信装置３０Ａは、操作入力部３１、制御部３２、チューナー３３、ＤＥＭＵＸ部３４、デコード部３５、映像音声出力部３６、記録部３７、ネットワーク接続部３８、ネットワーク情報デコード部３９、ユーザ情報記憶部４０を主要な構成要素としている。ここで、制御部３２は、たとえば不図示のハードウェア資源であるＣＰＵなどで構成されており、記録部やＲＯＭなどに格納されている各種プログラムをＲＡＭに読み出して、各種演算処理を協働して実行することで、放送受信装置３０Ａの各部の機能が行う情報処理を実現することができる。なお、第１実施例の放送受信装置３０Ａと同一の機能（操作入力部３１、制御部３２、チューナー３３、ＤＥＭＵＸ部３４、デコード部３５、映像音声出力部３６、記録部３７）については同一の符号を付して説明を省略する。
【０１６８】
ネットワーク接続部３８は、ＩＰ通信網１００を介して放送局サーバ７０と通信を行う通信インターフェースである。ネットワーク接続部３８は、放送局サーバ７０のネットワーク接続部８１（図３５参照）からのデータを受信し、ネットワーク情報デコード部３９に当該データを送る。なお、ネットワーク接続部３８は、請求項の電子番組情報取得部の一部、告知情報取得部の一部として機能する。
【０１６９】
ネットワーク情報デコード部３９は、ネットワーク接続部３８から受信したデータを制御部３２の指示にしたがってデコードし、記録部３７に供給する。なお、記録部３７に供給されたデータは、映像音声出力部３６へ供給され、その後、表示装置５０および／または音声再生装置６０に出力される。ユーザ情報記憶部４０は、情報配信システム１Ａを利用するユーザ情報が格納されている。なお、ネットワーク情報デコード部３９は、請求項の告知情報出力部の一部として機能する。
【０１７０】
２−１−２．放送局サーバの構成
図３５は、図３３に示す放送局サーバ７０の全体構成を示すブロック図である。図３５に示すように放送局サーバ７０は、制御部７１、コンテンツストリーム作成部７２、配信要求受付部７３、ユーザ情報管理部７４、コンテンツデータ配信部７５、ＥＰＧ情報作成部７６、サーバ放送用ＥＰＧ情報作成部７７、コンテンツＤＢ７８、放送スケジュールＤＢ７９、懸賞商品情報ＤＢ８０、ネットワーク接続部８１とを主要な構成要素としている。なお、放送局サーバ７０は、請求項の情報配信装置として機能する。
【０１７１】
ここで、上述したコンテンツストリーム作成部７２、配信要求受付部７３、ユーザ情報管理部７４、コンテンツデータ配信部７５、ＥＰＧ情報作成部７６、サーバ放送用ＥＰＧ情報作成部７７の各機能が実現する情報処理は、放送局サーバ７０全体を制御する制御部７１がハードウェア資源と協働して実行することにより実現される。具体的には、制御部７１は、不図示のハードウェア資源であるＣＰＵなどから構成され、ＣＰＵが不図示のＲＯＭに格納されている各種プログラムを不図示のＲＡＭに読み出して協働して実行することにより実現している。また、上述したコンテンツＤＢ７８、放送スケジュールＤＢ７９、懸賞商品情報ＤＢ８０は不図示の記憶部に記憶されており、記憶部は、たとえばＨＤＤやフラッシュメモリなどから構成される。なお、第１実施例の放送送信装置３０と同一の機能（コンテンツストリーム作成部７２）については、説明を省略する。
【０１７２】
配信要求受付部７３は、放送受信装置３０Ａからの懸賞情報の配信要求を受け付ける機能を有する。具体的には、放送受信装置３０Ａから要求のあったコンテンツやＥＰＧ情報、サーバ放送用ＥＰＧ情報を提供する。
【０１７３】
ユーザ情報管理部７４は、放送局サーバ７０に接続してきたユーザが登録されていない場合に所定の入力事項を求めて、情報配信システム１Ａのユーザとして新たに登録することができる機能を有している。具体的には、ユーザ情報管理部７４は、接続してきた放送受信装置３０Ａのディスプレイ、または放送受信装置３０Ａに接続されている表示装置５０にユーザ登録画面を表示し、所定の事項を入力させて、入力された事項を不図示の記憶部に記憶する処理を行う。
【０１７４】
また、ユーザ情報管理部７４は、放送局サーバ７０に接続してきたユーザが、情報配信システム１Ａを正当に利用できるユーザであるか否かを判断する機能を有している。具体的には、ユーザ情報管理部７４は、接続してきた放送受信装置３０Ａのディスプレイ、または放送受信装置３０Ａに接続されている表示装置５０にユーザ認証画面を表示させ、当該認証画面に入力された事項（たとえばユーザが入力したユーザＩＤおよびパスワードなど）と、不図示の記憶部に予め記憶されている事項（当該ユーザＩＤと当該ユーザが予め設定したパスワードなど）とを照合することでユーザ認証処理を行う。なお、ユーザ情報管理部７４は、ユーザ認証サーバとしてのＬＤＡＰ（Ｌｉｇｈｔｗｅｉｇｈｔ  Ｄｉｒｅｃｔｏｒｙ  Ａｃｃｅｓｓ  Ｐｒｏｔｏｃｏｌ）サーバを、放送局サーバ７０とは別に構築して、当該ＬＤＡＰサーバにおいて上述したユーザ情報管理部７４の各処理を実現するようにしてもよい。また、ユーザ情報管理部７４は、ユーザの情報を管理する。具体的にはユーザＩＤとユーザの視聴エリアが登録されており、要求のあったユーザに視聴エリアに応じた適切な放送地域のＥＰＧデータを提供することができる。
【０１７５】
コンテンツデータ配信部７５は、放送送信装置１１が放送波で送出する放送データとは異なり、当該放送データに関連するコンテンツ、またはそれ以外のコンテンツをＩＰ通信網１００経由で配信する機能を有する。
【０１７６】
ＥＰＧ情報作成部７６は、放送スケジュールＤＢ７９と懸賞商品情報ＤＢ８０に基づき、ＥＰＧ情報を作成する。放送スケジュールＤＢ７９には、放送波（テレビ放送、ラジオ放送等）の番組情報が記憶され、ＥＰＧ情報の作成に用いられる。また、放送スケジュールＤＢ７９には、基本的には第１実施形態に係る放送送信装置１１の放送スケジュールＤＢ７９と同等のデータが含まれているが、より詳細な情報が記憶されているものである。また、懸賞商品情報ＤＢ８０には、予め懸賞情報が記憶されている。懸賞情報は、図３６〜図３８に示すデータに記載のように懸賞のある番組の放送種別や放送局、番組名、開始/終了時刻、リアルタイムに応募する番組なのか、応募締切情報、申込情報等が記録されている。これらはＥＰＧ情報の作成に用いられ、ＥＰＧ情報に懸賞情報を含んで放送受信装置３０Ａからの要求に応じて送信される。
【０１７７】
サーバ放送用ＥＰＧ情報作成部７７は、後述するコンテンツＤＢ７８のコンテンツが放送番組と関係するコンテンツである場合に、放送番組と関係するコンテンツのＥＰＧデータを作成するものである。このコンテンツに関連した懸賞情報がある場合には、その懸賞情報も含めてサーバ放送用ＥＰＧデータを作成する。
【０１７８】
コンテンツＤＢ７８には、種々のコンテンツが記憶されている。コンテンツＤＢ７８に記憶されているコンテンツは、番組連動型のものや放送終了後にもアクセスできるコンテンツ、また、エリア限定のものではないコンテンツなどが記憶されている。具体的なコンテンツの例としては、静止画、動画、音声等である。なお、これらの情報は、例えばＸＭＬ(ｅＸｔｅｎｓｉｂｌｅ  Ｍａｒｋｕｐ  Ｌａｎｇｕａｇｅ)やＢＭＬ(Ｂｒｏａｄｃａｓｔ  Ｍａｒｋｕｐ  Ｌａｎｇｕａｇｅ)等のマークアップ言語で記述されており、このようなマークアップ言語を用いることで、ＩＰ通信網１００との親和性を良好なものとすることができる。
【０１７９】
２−２．各装置の処理
２−２−１．放送局サーバの懸賞情報配信処理
続いて、放送局サーバ７０の行う懸賞情報配信処理について説明する。放送局サーバ７０は、ＥＰＧ情報に懸賞情報を付加して放送受信装置３０Ａに対して送信処理を行う。
【０１８０】
図３６は、図３３に示す放送局サーバ７０から送信される懸賞情報のデータ列の一例を示す図である。図３６に示すように、懸賞情報のデータ列は、「放送種別」、「放送局名」、「放送開始日時」、「放送終了日時」、「番組名」、「表示形式」、「音声形式」「ジャンル」、「出演者」、「監督」、「制作会社」、「番組内容」、「リアルタイムか否か」、「応募方法」、「懸賞申込開始日時」、「懸賞申込終了日時」、「プレゼントジャンル」、「プレゼント商品名」などのフィールドから構成されている。
【０１８１】
また、放送局サーバ７０は、図３８で示した懸賞情報のデータ列をＥＰＧ情報に付加する。図３９は、図３５に示す放送局サーバ７０から送信されるＥＰＧ情報に懸賞情報のデータ列が付加された例その１を示す図である。図３９に示すように、懸賞情報のデータ列には「連動コンテンツ１」、「連動コンテンツ２」のフィールドが追加されている。これにより番組と連動したコンテンツを配信可能とし、当該コンテンツに関するＥＰＧ情報も送信することができる。
【０１８２】
図４０は、図３５に示す放送局サーバ７０から送信されるＥＰＧ情報に懸賞情報が付加された例その２を示す図である。図４０に示すように、「連動コンテンツ１」フィールドから右のフィールドは、連動するコンテンツに関するものであり、当該連動コンテンツの懸賞情報が付加されているデータ列としてもよい。
【０１８３】
上述した懸賞情報をＥＰＧ情報に入れる場合には、例えばＡＲＩＢ（Ａｓｓｏｃｉａｔｉｏｎ  ｏｆ  Ｒａｄｉｏ  Ｉｎｄｕｓｔｒｉｅｓ  ａｎｄ  Ｂｒｏａｄｃａｓｔ）で規定される地上デジタル放送や、ＢＳデジタル放送のＳＩ情報中にあるＥＰＧ情報のＴＹＰＥ−Ｈを表示するための、番組表形式のデータ部分又は及び個別の番組の説明のためのデータ部分に入れることが好ましい。また、他の放送や他のＥＰＧ表示形式の場合（ワンセグ放送）の場合には、番組名や番組説明のためのテキスト情報のデータ中に懸賞情報を入れることが好ましい。また、懸賞情報は、放送受信装置３０Ａ側でテキスト検索できるよう、所定のキーワード“懸賞”、“プレゼント”といった文字列を含むようにすることが好ましい。また、応募条件を記述する場合には、“応募条件”という文字列のあとに所定の条件内容を記載することが好ましい。応募の開始、終了期間についても、同様の形式で表現を行うことが好ましい。
【０１８４】
図３９は、図３３に示す放送局サーバ７０で行うＥＰＧ情報送信処理のフローチャートである。このＥＰＧ情報送信処理は、懸賞情報の有無を含めたＥＰＧ情報を配信するものである。なお、図５の処理と同一の処理（図３９のＳＴＡＲＴ、ステップＳ１、Ｓ２、Ｓ３、Ｓ４の処理）については、同一のステップ番号を付し、説明を省略する。
【０１８５】
ステップＳ１４０：制御部７１は、送信する期間内の全ての番組を含んだＥＰＧ情報を生成する。放送局サーバ７０の制御部７１は、ステップＳ１４０の処理が完了すると、ステップＳ１４１の処理へ移行する。
【０１８６】
ステップＳ１４１：制御部７１は、ＥＰＧ情報の送信要求判断を行う。放送局サーバ７０の制御部７１は、ＥＰＧ情報の送信要求がある場合（ステップＳ１４１でＹＥＳ）にはステップＳ１４２へ、ＥＰＧ情報の送信要求が無い場合（ステップＳ１４１でＮＯ）には、ステップＳ１４１の判断処理を繰り返す。
【０１８７】
ステップＳ１４２：制御部７１は、ＥＰＧ情報を送信してＥＰＧ情報送信処理を終了する（ＥＮＤ）。
【０１８８】
このような送信処理とすることで、懸賞情報の有無がＥＰＧ情報に含まれて配信されるため、視聴者が放送番組内で告知される情報を容易に知ることができる。また、放送受信装置３０Ａからの送信要求に基づいて、ＩＰ通信網１００を利用して懸賞情報の有無を有するＥＰＧ情報を放送局サーバ７０から配信させるため、第１実施形態における放送送信装置１１の放送波による配信処理とは異なり、視聴者の配信要求に基づいて懸賞情報の有無を有するＥＰＧ情報を配信することが可能となる。つまり、ユーザの要求を反映することができる。
【０１８９】
２−２−２−１．放送受信装置の懸賞情報表示処理その１
図４０は、図３３に示す放送受信装置３０Ａで行う懸賞情報表示処理のフローチャートである。
【０１９０】
ＳＴＡＲＴ：制御部３２は、電源がＯＮになる、または当該表示モードが選択されると懸賞情報表示処理を開始する。制御部３２は、懸賞情報表示処理を開始すると、ステップＳ１５０の処理へ移行する。
【０１９１】
ステップＳ１５０：制御部３２は、ＥＰＧ画面の表示要求有無を判断する。制御部３２は、ＥＰＧ画面の表示要求がある場合（ステップＳ１５０でＹＥＳ）には、ステップＳ１５１の処理へ移行し、ＥＰＧ画面の表示要求がない場合（ステップＳ１５０でＮＯ）には、ステップＳ１５０の判断処理を繰り返す。
【０１９２】
ステップＳ１５１：制御部３２は、ＥＰＧ情報が未取得か否かを判断する。制御部３２は、未取得の場合（ステップＳ１５１でＹＥＳ）には、ステップＳ１５２の処理へ移行し、取得済みの場合（ステップＳ１５１でＮＯ）には、ステップＳ１５３の処理へ移行する。なお、常時ネットワーク接続をしている環境において、特定のタイミングで（たとえば５分に1回など）で最新のＥＰＧを取得することができる場合には、このステップを行わなくてもよい。
【０１９３】
ステップＳ１５２：制御部３２は、ＥＰＧ情報を放送局サーバ７０へ要求する。
【０１９４】
ステップＳ１５３：制御部３２は、ステップＳ１５１またはＳ１５２で要求して取得したＥＰＧ情報に基づいてＥＰＧ画面を表示して懸賞情報表示処理を終了する（ＥＮＤ）。
【０１９５】
このような表示処理とすることで、ＥＰＧ表示要求があった場合に、ＥＰＧ情報の取得有無を確認すると共に、ＥＰＧ情報を取得していない場合であっても、放送局サーバ７０にＥＰＧ情報の取得要求を行い、当該要求により取得したＥＰＧ情報を表示することができる。
【０１９６】
２−２−２−２．放送受信装置の懸賞情報表示処理その２
図４１は、図３３に示す放送受信装置３０Ａで行う懸賞情報表示処理のフローチャートである。この懸賞情報表示処理は、図４０で示した懸賞情報表示処理と異なり、放送局サーバ７０から懸賞情報のみを受信した場合の表示処理である。
【０１９７】
ＳＴＡＲＴ：制御部３２は、電源がＯＮになる、または当該表示モードが選択されると懸賞情報表示処理を開始する。制御部３２は、懸賞情報表示処理を開始すると、ステップＳ１６０の処理へ移行する。
【０１９８】
ステップＳ１６０：制御部３２は、表示要求されているＥＰＧ情報に懸賞情報があるか否かを判断する。制御部３２は、表示要求されているＥＰＧ情報に懸賞情報がある場合（ステップＳ１６０でＹＥＳ）には、ステップＳ１６２の処理へ移行し、懸賞情報がない場合（ステップＳ１６０でＮＯ）には、ステップＳ１６１の処理へ移行する。
【０１９９】
ステップＳ１６１：制御部３２は、ＥＰＧ情報を画面に表示する。制御部３２は、ステップＳ１６１の処理が完了すると、ステップＳ１６３の処理へ移行する。
【０２００】
ステップＳ１６２：制御部３２は、懸賞のある番組のＥＰＧ情報部分にマークを合成して表示（重畳表示）させる。制御部３２は、ステップＳ１６２の処理が完了すると、ステップＳ１６３の処理へ移行する。なお、懸賞のある旨を示すマークは、アイコンやテキストでもよい。
【０２０１】
ステップＳ１６３：制御部３２は、ＥＰＧ情報に基づいて表示されている番組の中から特定の番組についての表示要求有無を判断する。制御部３２は、特定の番組についての表示要求がある場合（ステップＳ１６３でＹＥＳ）には、ステップＳ１６４の処理へ移行し、表示要求がない場合（ステップＳ１６３でＮＯ）には懸賞情報表示処理を終了する（ＥＮＤ）。
【０２０２】
ステップＳ１６４：制御部３２は、特定の番組に懸賞情報があるか否かを判断する。特定の番組に懸賞情報がある場合（ステップＳ１６４でＹＥＳ）には、ステップＳ１６６の処理へ移行し、懸賞情報がない場合（ステップＳ１６４でＮＯ）には、ステップＳ１６５の処理へ移行する。
【０２０３】
ステップＳ１６５：制御部３２は、図１９に示すような番組情報を表示して懸賞情報表示処理を終了する（ＥＮＤ）。
【０２０４】
ステップＳ１６６：制御部３２は、図１９に示すような番組情報と図２０に示すような懸賞情報とを共に並列に表示して懸賞情報表示処理を終了する（ＥＮＤ）。
【０２０５】
なお、ステップＳ１６４で、懸賞情報がある場合に、図１９のようなプレゼントのアイコンを表示させ、このアイコンが選択された場合に、図２０のような懸賞情報の詳細を表示するようにしてもよい。
【０２０６】
また、「実施例１」の図１２〜図１７のフローチャートで説明した記録予約処理については、「実施例２」においても適用できる。ただし、懸賞情報は、放送波には含まれていないため、制御部３２は、懸賞情報を含んだＥＰＧ情報のデータの送信を放送局サーバ７０に要求し、ＥＰＧ情報を取得する。そして、制御部３２は、放送局サーバ７０から取得した、懸賞情報を含んだＥＰＧ情報を利用することによって「実施例１」で説明した記録予約処理を行うことができる。
【０２０７】
このような表示処理とすることで、ＥＰＧ画面上に表示される番組の懸賞情報の有無や、詳細な懸賞情報を容易に知ることができる。また、これらの情報が放送番組の視聴するための動機付けとなり、当該放送番組の視聴率アップに寄与することができる。
【０２０８】
以上に説明したことから、本発明の第２実施形態に係る情報配信システム１Ａは、懸賞情報を含めて放送するため、懸賞がある番組を容易に把握することができる。これにより放送局１０側のメリットとして、懸賞を目的とした新たな視聴者を獲得し、視聴機会を増加させることができる。また、ユーザ側のメリットとして、ＥＰＧ情報から簡単に懸賞を行っている番組を把握することができるので、プレゼントを提供している番組を容易に探し出して、視聴することができる。また、そのような番組でどのようなプレゼントがなされるのかを簡単に把握することができる。また、リアルタイムの懸賞番組かどうかを把握することにより、その場で視聴するのか録画してから視聴するのかを選択することができる。また、放送局からＥＰＧ情報が送信されない場合や、ＥＰＧ情報に懸賞情報を含んで送信されない場合においても、放送局サーバから送信された懸賞情報を含んだＥＰＧ情報を取得することにより、懸賞情報がある番組を容易に把握することができる。
【０２０９】
２−４．実施例２の変形例（ＥＰＧと懸賞情報が別）
続いて、上述した実施例２の変形例である放送配信システム１Ｂについて説明する。以下に説明する放送局サーバ７０の変形例である放送局サーバ７０Ｂでは、実施例２の放送局サーバ７０と異なり、ＥＰＧ情報に懸賞情報を含めて送信するものではなく、ＥＰＧ情報とは別に懸賞情報を生成して、送信するものである。また、以下に説明する放送受信装置３０Ａの変形例としての放送受信装置３０Ｂでは、実施例２の放送受信装置３０Ａと異なり、ＥＰＧ情報に懸賞情報が含まれた状態で受信するものではなく、ＥＰＧ情報と懸賞情報が別々に作成された状態で受信するものである。
【０２１０】
２−４−１．放送局サーバの構成
放送局サーバ７０Ｂは、実施例２の放送局サーバ７０と異なり、ＥＰＧ情報に懸賞情報を含めて送信するものではなく、ＥＰＧ情報とは別に懸賞情報を生成して、送出するものである。すなわち、図３５に示す放送局サーバ７０の構成に加えて懸賞情報作成部８２を有している。この懸賞情報作成部８２は、放送スケジュールＤＢ７９を参照して懸賞情報を生成する。そして、生成した懸賞情報は、ＩＰ経由でネットワークを介して送信される。なお、懸賞情報作成部８２以外は、図３５に示す放送局サーバ７０と同一であるため、図示および説明を省略する。
【０２１１】
２−４−２．放送受信装置の構成
放送受信装置３０Ｂは、実施例２の放送受信装置３０Ａと異なり、ＥＰＧ情報に懸賞情報を含めて送信するものではなく、ＥＰＧ情報とは別に生成された懸賞情報をネットワーク経由で受信するものである。しかしながら、この変形例における放送受信装置３０Ｂは、図３４に示す放送受信装置３０Ａと同一の構成であるため、図示および説明を省略する。
【０２１２】
２−４−３．放送局サーバの配信処理
続いて、放送局サーバ７０Ｂの配信処理について説明する。図３６は放送局サーバ７０Ｂから送信される懸賞情報の一例である。図３６は懸賞情報の他に番組情報と連動するコンテンツの情報も含めて送信する場合の例である。図３７では、放送局の番組に懸賞情報が存在するのではなく、連動コンテンツに懸賞情報がある場合を示している。図４２は、図３９に示すＥＰＧ情報送信処理の変形例を示す図である。この変形例では、懸賞情報のみを作成して送信するものである。
【０２１３】
ＳＴＡＲＴ：制御部７１は、電源がＯＮになる、または当該送信モードが選択されると懸賞情報送信処理を開始する。制御部７１は、懸賞情報送信処理を開始すると、ステップＳ１７０の処理へ移行する。
【０２１４】
ステップＳ１７０：制御部７１は、懸賞情報がある番組か否かを判断する。制御部７１は、懸賞情報がある番組の場合（ステップＳ１７０でＹＥＳ）には、ステップＳ１７１の処理へ移行し、懸賞情報がない番組の場合（ステップＳ１７０でＮＯ）には、ステップＳ１７２の処理へ移行する。
【０２１５】
ステップＳ１７１：制御部７１は、懸賞情報を生成する。制御部７１は、ステップＳ１７１の処理が完了すると、ステップＳ１７２の処理へ移行する。
【０２１６】
ステップＳ１７２：制御部７１は、送信する期間内の全ての番組について懸賞の有無をチェックする。制御部７１は、送信する期間内の全ての番組について懸賞の有無をチェックした場合（ステップＳ１７２でＹＥＳ）は、ステップＳ１７３の処理へ移行し、チェックしていない場合（ステップＳ１７２でＮＯ）は、ステップＳ１７０の処理へ戻る。
【０２１７】
ステップＳ１７３：制御部７１は、送信する期間内に含まれるすべての懸賞情報を作成する。制御部７１は、ステップＳ１７３の処理が完了すると、ステップＳ１７４の処理へ移行する。
【０２１８】
ステップＳ１７４：制御部７１は、懸賞情報の送信要求の有無判断を行う。制御部７１は、懸賞情報の送信要求がある場合（ステップＳ１７４でＹＥＳ）には、ステップＳ１７５の処理へ移行し、懸賞情報の送信要求がない場合（ステップＳ１７４でＮＯ）には、懸賞情報送信処理を終了する（ＥＮＤ）。
【０２１９】
ステップＳ１７５：制御部７１は、送信する期間内に含まれるすべての懸賞情報を送信して、懸賞情報送信処理を終了する（ＥＮＤ）。
【０２２０】
このような送信処理とすることで、懸賞情報のみをＥＰＧ情報とは独立して送信することができる。
【０２２１】
２−４−４．放送受信装置の懸賞情報表示処理
続いて、放送受信装置３０Ｂの懸賞情報表示処理の変形例について説明する。図４３は、図４０に示す懸賞情報表示処理の変形例を示す図である。この変形例は、懸賞情報のみを送信する放送局サーバ７０と通信を行った場合の懸賞情報表示処理である。
【０２２２】
ＳＴＡＲＴ：制御部３２は、電源がＯＮになる、または当該表示モードが選択されると懸賞情報表示処理を開始する。制御部３２は、懸賞情報表示処理を開始すると、ステップＳ１８０の処理へ移行する。
【０２２３】
ステップＳ１８０：制御部３２は、ＥＰＧ画面の表示要求有無を判断する。制御部３２は、ＥＰＧ画面表示要求がある場合（ステップＳ１８０でＹＥＳ）には、ステップＳ１８１の処理へ移行し、ＥＰＧ画面表示要求がない場合（ステップＳ１８０でＮＯ）には、ステップＳ１８０の判断処理を繰り返す。
【０２２４】
ステップＳ１８１：制御部３２は、懸賞情報が受信済か否か判断する。制御部３２は、懸賞情報を受信済の場合（ステップＳ１８１でＹＥＳ）、ステップＳ１８３へ移行する。一方、制御部３２は、懸賞情報を未受信の場合（ステップＳ１８１でＮＯ）、ステップＳ１８２へ移行する。
【０２２５】
ステップＳ１８２：制御部３２は、懸賞情報の受信処理を行い、ステップＳ１８３へ移行する。
【０２２６】
ステップＳ１８３：制御部３２は、懸賞情報の表示要求有無を判断する。制御部３２は、懸賞情報の表示要求がない場合（ステップＳ１８３でＮＯ）には、ステップＳ１８４の処理へ移行し、懸賞情報の表示要求がある場合（ステップＳ１８３でＹＥＳ）には、ステップＳ１８５の処理へ移行する。
【０２２７】
ステップＳ１８４：制御部３２は、ＥＰＧ画面を表示して懸賞情報表示処理を終了する（ＥＮＤ）。なお、このステップＳ１８４においてＥＰＧ画面を表示する際に、ステップＳ１８３の懸賞情報の表示要求判断を行うようにしてもよい。
【０２２８】
ステップＳ１８５：制御部３２は、最新の懸賞情報について未取得か否かを判断する。制御部３２は、最新の懸賞情報が未取得である場合（ステップＳ１８５でＹＥＳ）には、ステップＳ１８６の処理へ移行し、取得済みである場合（ステップＳ１８５でＮＯ）にはステップＳ１８７の処理へ移行する。
【０２２９】
ステップＳ１８６：制御部３２は、放送局サーバ７０へＥＰＧ情報を要求する。制御部３２は、ステップＳ１８６の処理が完了すると、ステップＳ１８７の処理へ移行する。
【０２３０】
ステップＳ１８７：制御部３２は、ＥＰＧ画面と懸賞情報の表示をして懸賞情報表示処理を終了する（ＥＮＤ）。具体的には、ＥＰＧ画面上に懸賞情報のマークを表示する、または懸賞情報のある番組の背景色等を変更して強調表示する。また各番組の詳細情報表示画面を２画面にし、一方を番組説明、もう一方を懸賞情報としてもよい。
【０２３１】
また、「実施例１」の図１２〜図１７のフローチャートで説明した記録予約処理については、「実施例２の変形例」においても適用できる。ただし、懸賞情報は、ＥＰＧ情報には含まれていないため、制御部３２は、ＥＰＧ情報に基づいて番組を指定した後、懸賞情報のデータの送信を放送局サーバ７０に要求し、当該番組に懸賞情報が有るか否かを判断する。そして、制御部３２は、懸賞情報が有る場合には、これを放送局サーバ７０から取得することによって「実施例１」で説明した記録予約処理を行うことができる。
【０２３２】
このような表示処理とすることで、放送局サーバ７０から懸賞情報のみが送信される場合であってもＥＰＧ画面に懸賞情報を表示させることができる。
【０２３３】
３．他の実施形態
以上、情報配信システム１、１Ａを本発明の実施形態例として説明したが、本発明は、これに限定されるものではなく、発明の要旨を逸脱しない範囲において種々の変形や変更が可能である。
【０２３４】
たとえば、リアルタイムに応募しなければならない番組が録画予約された場合には、視聴予約に切り替えるか尋ねるポップアップ画面を表示するようにしてもよい。
【０２３５】
また、放送受信装置３０、３０Ａ、３０Ｂは、放送局サーバ７０からのＥＰＧ情報内にプレゼントがある番組がある場合には、放送波からのＥＰＧ情報にＯＳＤ（Ｏｎ  Ｓｃｒｅｅｎ  Ｄｉｓｐｌａｙ）表示を行うようにしてもよい。
【０２３６】
また、現在から１日で放送される懸賞つきの番組を懸賞名と共に表示するようにしてもよい。その場合の懸賞内容は、放送局サーバ７０側で隠していてもよいし、わかるようにしてもよい。
【０２３７】
また、音声で懸賞情報の有無を通知するようにしてもよい。あるいは、放送波の番組放送中に懸賞情報の有無を通知するようにしてもよい。具体的には、画面内にテロップとして懸賞情報を流してもよい。
【０２３８】
また、放送受信装置３０、３０Ａ、３０Ｂは、ＩＰ通信網１００を通じ、放送局サーバ７０と双方向通信で懸賞の応募、抽選結果の通知等を行うようにしてもよい。
【０２３９】
また、放送局サーバ７０でＥＰＧ情報自体をコンテンツデータとして、送信せずにｗｅｂ上で閲覧できるようにしてもよい。
【０２４０】
また、上述した各実施形態に係る情報配信システム１Ａで説明した各部の機能すべてまたは一部をプログラムによって構成し、このプログラムを情報処理装置（コンピュータ）にインストールすることで実現してもよい。具体的には、コンピュータとして機能させるためにプログラムとすることができる。なお、このプログラムを実行可能な状態で記録した媒体からコンピュータに直接インストールすることも可能であるが、ネットワーク経由で遠隔にあるコンピュータにインストールしてもよい。
【符号の説明】
【０２４１】
１，１Ａ  情報配信システム、１０  放送局、１１  放送送信装置（放送配信装置）、１２  制御部、１３  コンテンツストリーム作成部、１４  ＥＰＧ情報作成部、１５  データ放送作成部、１６  ＭＵＸ部、１７  放送用コンテンツ１７ＤＢ、１７  放送用コンテンツ１８  放送スケジュールＤＢ、１９  データ放送用コンテンツＤＢ、３０，３０Ａ，３０Ｂ  放送受信装置、３１  操作入力部（電子番組情報取得要求部、告知情報取得要求部）、３２  制御部（電子番組情報取得部の一部、告知情報取得部の一部、記録予約受付部の一部、検索部）、３３  チューナー（電子番組情報取得部の一部、告知情報取得部の一部）、３４  ＤＥＭＵＸ部（電子番組情報取得部の一部、告知情報取得部の一部）、３５  デコード部（記録予約受付部の一部）、３６  映像音声出力部（記録予約受付部の一部）、３７  記録部（記録予約受付部の一部）、３８  ネットワーク接続部（電子番組情報取得部の一部、告知情報取得部の一部）、３９  ネットワーク情報デコード部（記録予約受付部の一部）、４０  ユーザ情報記憶部、５０  表示装置、６０  音声再生装置、７０  放送局サーバ（放送配信装置）、７１  制御部、７２  コンテンツストリーム作成部、７３  配信要求受付部、７４  ユーザ情報管理部、７５  コンテンツデータ配信部、７６  ＥＰＧ情報作成部、７７  サーバ放送用ＥＰＧ情報作成部、７８  コンテンツＤＢ、７９  放送スケジュールＤＢ、８０  懸賞商品情報ＤＢ、８１  ネットワーク接続部
【図１】
2010206333.tif 000003
【図２】
2010206333.tif 000004
【図３】
2010206333.tif 000005
【図４】
2010206333.tif 000006
【図５】
2010206333.tif 000007
【図６】
2010206333.tif 000008
【図７】
2010206333.tif 000009
【図８】
2010206333.tif 000010
【図９】
2010206333.tif 000011
【図１０】
2010206333.tif 000012
【図１１】
2010206333.tif 000013
【図１２】
2010206333.tif 000014
【図１３】
2010206333.tif 000015
【図１４】
2010206333.tif 000016
【図１５】
2010206333.tif 000017
【図１６】
2010206333.tif 000018
【図１７】
2010206333.tif 000019
【図１８】
2010206333.tif 000020
【図１９】
2010206333.tif 000021
【図２０】
2010206333.tif 000022
【図２１】
2010206333.tif 000023
【図２２】
2010206333.tif 000024
【図２３】
2010206333.tif 000025
【図２４】
2010206333.tif 000026
【図２５】
2010206333.tif 000027
【図２６】
2010206333.tif 000028
【図２７】
2010206333.tif 000029
【図２８】
2010206333.tif 000030
【図２９】
2010206333.tif 000031
【図３０】
2010206333.tif 000032
【図３１】
2010206333.tif 000033
【図３２】
2010206333.tif 000034
【図３３】
2010206333.tif 000035
【図３４】
2010206333.tif 000036
【図３５】
2010206333.tif 000037
【図３６】
2010206333.tif 000038
【図３７】
2010206333.tif 000039
【図３８】
2010206333.tif 000040
【図３９】
2010206333.tif 000041
【図４０】
2010206333.tif 000042
【図４１】
2010206333.tif 000043
【図４２】
2010206333.tif 000044
【図４３】
2010206333.tif 000045